(57)【特許請求の範囲】
【請求項１】
ワイヤレス通信システムにおいてフレキシブル帯域幅を動的に適応させる方法であって、
第１のフレキシブル帯域幅キャリアの第１のスケーリングファクタを識別することと、
第２のスケーリングファクタを判断することと、
前記第１のフレキシブル帯域幅キャリアにとどまるモバイルデバイスを別の帯域幅キャリアにハンドオーバすることと、
前記第１のフレキシブル帯域幅キャリアの帯域幅を、前記第１のスケーリングファクタの使用から前記第２のスケーリングファクタの使用に適応させることと
を備える方法。
【請求項２】
前記第１のフレキシブル帯域幅の前記帯域幅を、前記第１のスケーリングファクタの使用から前記第２のスケーリングファクタの使用に適応させることは、
前記第１のフレキシブル帯域幅キャリアの前記帯域幅を増大させることを備える、
請求項１に記載の方法。
【請求項３】
前記第１のフレキシブル帯域幅キャリアの前記帯域幅を増大させることは、前記第１のフレキシブル帯域幅キャリアの容量を増やす、
請求項２に記載の方法。
【請求項４】
前記第１のフレキシブル帯域幅の前記帯域幅を、前記第１のスケーリングファクタの使用から前記第２のスケーリングファクタの使用に適応させることは、
前記第１のフレキシブル帯域幅キャリアの前記帯域幅を減少させることを備える、
請求項１に記載の方法。
【請求項５】
前記第１のフレキシブル帯域幅キャリアの前記帯域幅を減少させることは、少なくとも、１つもしくは複数のセルとの干渉を削減すること、帯域内干渉を削減すること、またはエネルギーを節約することを備える、
請求項４に記載の方法。
【請求項６】
前記第１のフレキシブル帯域幅キャリアの前記帯域幅を減少させる前に、前記第１のフレキシブル帯域幅キャリアにとどまるモバイルデバイスを別の帯域幅キャリアにハンドオーバすることをさらに備える、
請求項４に記載の方法。
【請求項７】
第１のダウンリンクフレキシブル帯域幅キャリアの帯域幅を、前記第１のスケーリングファクタの使用から、前記第２のスケーリングファクタとは異なる第３のスケーリングファクタの使用に適応させることをさらに備える、
請求項１に記載の方法。
【請求項８】
前記第１のフレキシブル帯域幅キャリアは、第１のアップリンクフレキシブル帯域幅キャリアを備え、前記第２のスケーリングファクタおよび第３のスケーリングファクタは、少なくとも前記第１のアップリンクフレキシブル帯域幅キャリアまたは前記第１のダウンリンクフレキシブル帯域幅キャリアについての１つまたは複数のトラフィックパターンに基づいて判断される、
請求項７に記載の方法。
【請求項９】
第２のダウンリンクフレキシブル帯域幅キャリアの帯域幅を、前記第１のスケーリングファクタの使用から第４のスケーリングファクタの使用に適応させることと、
第２のアップリンクフレキシブル帯域幅キャリアの帯域幅を、前記第１のスケーリングファクタの使用から第５のスケーリングファクタの使用に適応させることと
をさらに備える、請求項８に記載の方法。
【請求項１０】
少なくとも前記第１のアップリンクフレキシブル帯域幅キャリアを前記第２のダウンリンクキャリアと、または前記第２のアップリンクフレキシブル帯域幅キャリアを前記第１のダウンリンクキャリアと結合することをさらに備える、
請求項９に記載の方法。
【請求項１１】
少なくとも１人のユーザの少なくとも要求事項または必要事項に基づいて、少なくとも前記第１のアップリンクフレキシブル帯域幅キャリア、前記第２のアップリンクフレキシブル帯域幅キャリア、前記第１のダウンリンクフレキシブル帯域幅キャリア、または前記第２のリンクフレキシブル帯域幅キャリアに、前記少なくとも１人のユーザを割り当てることをさらに備える、
請求項９に記載の方法。
【請求項１２】
少なくとも、前記第１のアップリンクフレキシブル帯域幅キャリアについての第１の中心周波数または前記第１のダウンリンクフレキシブル帯域幅キャリアについての第２の中心周波数を変更することをさらに備える、
請求項８に記載の方法。
【請求項１３】
前記第２のスケーリングファクタをモバイルデバイスに送信することと、
前記第１のフレキシブル帯域幅キャリアの前記帯域幅が前記第１のスケーリングファクタの使用から前記第２のスケーリングファクタの使用にいつ適応されるかに関する少なくとも時間またはタイミング期間を、前記モバイルデバイスに送信することと
をさらに備える、請求項１に記載の方法。
【請求項１４】
前記タイミング期間中は、前記モバイルデバイスにデータを送信するのを控えることをさらに備える、
請求項１３に記載の方法。
【請求項１５】
フレキシブル帯域幅を動的に適応させるために構成されたワイヤレス通信システムであって、
第１のフレキシブル帯域幅キャリアの第１のスケーリングファクタを識別するための手段と、
第２のスケーリングファクタを判断するための手段と、
前記第１のフレキシブル帯域幅キャリアにとどまるモバイルデバイスを別の帯域幅キャリアにハンドオーバするための手段と、
前記第１のフレキシブル帯域幅キャリアの帯域幅を、前記第１のスケーリングファクタの使用から前記第２のスケーリングファクタの使用に適応させるための手段と
を備えるシステム。
【請求項１６】
前記第１のフレキシブル帯域幅の前記帯域幅を、前記第１のスケーリングファクタの使用から前記第２のスケーリングファクタの使用に適応させるための前記手段は、
前記第１のフレキシブル帯域幅キャリアの前記帯域幅を増大させるための手段を備える、
請求項１５に記載のシステム。
【請求項１７】
前記第１のフレキシブル帯域幅キャリアの前記帯域幅を増大させることは、前記第１のフレキシブル帯域幅キャリアの容量を増やす、
請求項１６に記載のシステム。
【請求項１８】
前記第１のフレキシブル帯域幅の前記帯域幅を、前記第１のスケーリングファクタの使用から前記第２のスケーリングファクタの使用に適応させるための前記手段は、
前記第１のフレキシブル帯域幅キャリアの前記帯域幅を減少させるための手段を備える、
請求項１５に記載のシステム。
【請求項１９】
前記第１のフレキシブル帯域幅キャリアの前記帯域幅を減少させることは、少なくとも、１つもしくは複数のセルとの干渉を削減すること、帯域内干渉を削減すること、またはエネルギーを節約することを備える、
請求項１８に記載のシステム。
【請求項２０】
前記第１のフレキシブル帯域幅キャリアの前記帯域幅を減少させる前に、前記第１のフレキシブル帯域幅キャリアにとどまるモバイルデバイスを別の帯域幅キャリアにハンドオーバするための手段をさらに備える、
請求項１８に記載のシステム。
【請求項２１】
第１のダウンリンクフレキシブル帯域幅キャリアの帯域幅を、前記第１のスケーリングファクタの使用から、前記第２のスケーリングファクタとは異なる第３のスケーリングファクタの使用に適応させるための手段をさらに備える、
請求項１５に記載のシステム。
【請求項２２】
前記第１のフレキシブル帯域幅キャリアが第１のアップリンクフレキシブル帯域幅キャリアを備え、前記第２のスケーリングファクタおよび第３のスケーリングファクタが、少なくとも前記第１のアップリンクフレキシブル帯域幅キャリアまたは前記第１のダウンリンクフレキシブル帯域幅キャリアについての１つまたは複数のトラフィックパターンに基づいて判断される、
請求項２１に記載のシステム。
【請求項２３】
第２のダウンリンクフレキシブル帯域幅キャリアの帯域幅を、前記第１のスケーリングファクタの使用から第４のスケーリングファクタの使用に適応させるための手段と、
第２のアップリンクフレキシブル帯域幅キャリアの帯域幅を、前記第１のスケーリングファクタの使用から第５のスケーリングファクタの使用に適応させるための手段と
をさらに備える、請求項２２に記載のシステム。
【請求項２４】
少なくとも前記第１のアップリンクフレキシブル帯域幅キャリアを前記第２のダウンリンクキャリアと、または前記第２のアップリンクフレキシブル帯域幅キャリアを前記第１のダウンリンクキャリアと結合するための手段をさらに備える、
請求項２３に記載のシステム。
【請求項２５】
少なくとも１人のユーザの少なくとも要求事項または必要事項に基づいて、少なくとも前記第１のアップリンクフレキシブル帯域幅キャリア、前記第２のアップリンクフレキシブル帯域幅キャリア、前記第１のダウンリンクフレキシブル帯域幅キャリア、または前記第２のリンクフレキシブル帯域幅キャリアに、前記少なくとも１人のユーザを割り当てるための手段をさらに備える、
請求項２３に記載のシステム。
【請求項２６】
少なくとも、前記第１のアップリンクフレキシブル帯域幅キャリアについての第１の中心周波数または前記第１のダウンリンクフレキシブル帯域幅キャリアについての第２の中心周波数を変更するための手段をさらに備える、
請求項２２に記載のシステム。
【請求項２７】
前記第２のスケーリングファクタをモバイルデバイスに送信するための手段と、
前記第１のフレキシブル帯域幅キャリアの前記帯域幅が前記第１のスケーリングファクタの使用から前記第２のスケーリングファクタの使用にいつ適応されるかに関する少なくとも時間またはタイミング期間を、前記モバイルデバイスに送信するための手段と
をさらに備える、請求項１５に記載のシステム。
【請求項２８】
前記タイミング期間中は前記モバイルデバイスにデータを送信するのを控えるための手段をさらに備える、
請求項２７に記載のシステム。
【請求項２９】
少なくとも１つのプロセッサに実行させるコードを備える、ワイヤレス通信システムにおいてフレキシブル帯域幅を動的に適応させるためのコンピュータプログラムであって、
前記コードは、
第１のフレキシブル帯域幅キャリアの第１のスケーリングファクタを識別するためのコードと、
第２のスケーリングファクタを判断するためのコードと、
前記第１のフレキシブル帯域幅キャリアにとどまるモバイルデバイスを別の帯域幅キャリアにハンドオーバするためのコードと、
前記第１のフレキシブル帯域幅キャリアの帯域幅を、前記第１のスケーリングファクタの使用から前記第２のスケーリングファクタの使用に適応させるためのコードと
を備えるコンピュータプログラム。
【請求項３０】
前記第１のフレキシブル帯域幅の前記帯域幅を、前記第１のスケーリングファクタの使用から前記第２のスケーリングファクタの使用に適応させるための前記コードは、
前記第１のフレキシブル帯域幅キャリアの前記帯域幅を増大させるためのコードを備える、
請求項２９に記載のコンピュータプログラム。
【請求項３１】
前記第１のフレキシブル帯域幅キャリアの前記帯域幅を増大させることは、前記第１のフレキシブル帯域幅キャリアの容量を増やす、
請求項３０に記載のコンピュータプログラム。
【請求項３２】
前記第１のフレキシブル帯域幅の前記帯域幅を、前記第１のスケーリングファクタの使用から前記第２のスケーリングファクタの使用に適応させるための前記コードは、
前記第１のフレキシブル帯域幅キャリアの前記帯域幅を減少させるためのコードを備える、
請求項２９に記載のコンピュータプログラム。
【請求項３３】
前記第１のフレキシブル帯域幅キャリアの前記帯域幅を減少させることは、少なくとも、１つもしくは複数のセルとの干渉を削減すること、帯域内干渉を削減すること、またはエネルギーを節約することを備える、
請求項３２に記載のコンピュータプログラム。
【請求項３４】
前記コードは、
前記第１のフレキシブル帯域幅キャリアの前記帯域幅を減少させる前に、前記第１のフレキシブル帯域幅キャリアにとどまるモバイルデバイスを別の帯域幅キャリアにハンドオーバするためのコードをさらに備える、
請求項３２に記載のコンピュータプログラム。
【請求項３５】
前記コードは、
第１のダウンリンクフレキシブル帯域幅キャリアの帯域幅を、前記第１のスケーリングファクタの使用から、前記第２のスケーリングファクタとは異なる第３のスケーリングファクタの使用に適応させるためのコードをさらに備える、
請求項２９に記載のコンピュータプログラム。
【請求項３６】
前記第１のフレキシブル帯域幅キャリアが第１のアップリンクフレキシブル帯域幅キャリアを備え、前記第２のスケーリングファクタおよび第３のスケーリングファクタが、少なくとも前記第１のアップリンクフレキシブル帯域幅キャリアまたは前記第１のダウンリンクフレキシブル帯域幅キャリアについての１つまたは複数のトラフィックパターンに基づいて判断される、
請求項３５に記載のコンピュータプログラム。
【請求項３７】
前記コードは、
第２のダウンリンクフレキシブル帯域幅キャリアの帯域幅を、前記第１のスケーリングファクタの使用から第４のスケーリングファクタの使用に適応させるためのコードと、
第２のアップリンクフレキシブル帯域幅キャリアの帯域幅を、前記第１のスケーリングファクタの使用から第５のスケーリングファクタの使用に適応させるためのコードと
をさらに備える、請求項３６に記載のコンピュータプログラム。
【請求項３８】
前記コードは、
少なくとも前記第１のアップリンクフレキシブル帯域幅キャリアを前記第２のダウンリンクキャリアと、または前記第２のアップリンクフレキシブル帯域幅キャリアを前記第１のダウンリンクキャリアと結合するためのコードをさらに備える、
請求項３７に記載のコンピュータプログラム。
【請求項３９】
前記コードは、
少なくとも１人のユーザの少なくとも要求事項または必要事項に基づいて、少なくとも前記第１のアップリンクフレキシブル帯域幅キャリア、前記第２のアップリンクフレキシブル帯域幅キャリア、前記第１のダウンリンクフレキシブル帯域幅キャリア、または前記第２のリンクフレキシブル帯域幅キャリアに、前記少なくとも１人のユーザを割り当てるためのコードをさらに備える、
請求項３７に記載のコンピュータプログラム。
【請求項４０】
前記コードは、
少なくとも、前記第１のアップリンクフレキシブル帯域幅キャリアについての第１の中心周波数または前記第１のダウンリンクフレキシブル帯域幅キャリアについての第２の中心周波数を変更するためのコードをさらに備える、
請求項３６に記載のコンピュータプログラム。
【請求項４１】
前記コードは、
前記第２のスケーリングファクタをモバイルデバイスに送信するためのコードと、
前記第１のフレキシブル帯域幅キャリアの前記帯域幅が前記第１のスケーリングファクタの使用から前記第２のスケーリングファクタの使用にいつ適応されるかに関する少なくとも時間またはタイミング期間を、前記モバイルデバイスに送信するためのコードと
をさらに備える、請求項２９に記載のコンピュータプログラム。
【請求項４２】
前記コードは、
前記タイミング期間中は前記モバイルデバイスにデータを送信するのを控えることをさらに備える、
請求項４１に記載のコンピュータプログラム。
【請求項４３】
ワイヤレス通信システムにおいてフレキシブル帯域幅を動的に適応させるために構成されたワイヤレス通信デバイスであって、
第１のフレキシブル帯域幅キャリアの第１のスケーリングファクタを識別することと、
第２のスケーリングファクタを判断することと、
前記第１のフレキシブル帯域幅キャリアにとどまるモバイルデバイスを別の帯域幅キャリアにハンドオーバすることと、
前記第１のフレキシブル帯域幅キャリアの帯域幅を、前記第１のスケーリングファクタの使用から前記第２のスケーリングファクタの使用に適応させることと
を行うように構成された少なくとも１つのプロセッサを備えるデバイス。
【請求項４４】
前記第１のフレキシブル帯域幅の前記帯域幅を、前記第１のスケーリングファクタの使用から前記第２のスケーリングファクタの使用に適応させることを行うように構成された前記少なくとも１つのプロセッサは、
前記第１のフレキシブル帯域幅キャリアの前記帯域幅を増大させることを行うように構成される、
請求項４３に記載のデバイス。
【請求項４５】
前記第１のフレキシブル帯域幅キャリアの前記帯域幅を増大させることは、前記第１のフレキシブル帯域幅キャリアの容量を増やす、
請求項４４に記載のデバイス。
【請求項４６】
前記第１のフレキシブル帯域幅の前記帯域幅を、前記第１のスケーリングファクタの使用から前記第２のスケーリングファクタの使用に適応させることを行うように構成された前記少なくとも１つのプロセッサが、
前記第１のフレキシブル帯域幅キャリアの前記帯域幅を減少させることを行うように構成される、
請求項４３に記載のデバイス。
【請求項４７】
前記第１のフレキシブル帯域幅キャリアの前記帯域幅を減少させることは、少なくとも、１つもしくは複数のセルとの干渉を削減すること、帯域内干渉を削減すること、またはエネルギーを節約することを備える、
請求項４６に記載のデバイス。
【請求項４８】
前記少なくとも１つのプロセッサは、
前記第１のフレキシブル帯域幅キャリアの前記帯域幅を減少させる前に、前記第１のフレキシブル帯域幅キャリアにとどまるモバイルデバイスを別の帯域幅キャリアにハンドオーバすることを行うようにさらに構成される、
請求項４６に記載のデバイス。
【請求項４９】
前記少なくとも１つのプロセッサは、
第１のダウンリンクフレキシブル帯域幅キャリアの帯域幅を、前記第１のスケーリングファクタの使用から、前記第２のスケーリングファクタとは異なる第３のスケーリングファクタの使用に適応させることを行うようにさらに構成される、
請求項４３に記載のデバイス。
【請求項５０】
前記第１のフレキシブル帯域幅キャリアは、第１のアップリンクフレキシブル帯域幅キャリアを備え、前記第２のスケーリングファクタおよび第３のスケーリングファクタは、少なくとも前記第１のアップリンクフレキシブル帯域幅キャリアまたは前記第１のダウンリンクフレキシブル帯域幅キャリアについての１つまたは複数のトラフィックパターンに基づいて判断される、
請求項４９に記載のデバイス。
【請求項５１】
前記少なくとも１つのプロセッサは、
第２のダウンリンクフレキシブル帯域幅キャリアの帯域幅を、前記第１のスケーリングファクタの使用から第４のスケーリングファクタの使用に適応させることと、
第２のアップリンクフレキシブル帯域幅キャリアの帯域幅を、前記第１のスケーリングファクタの使用から第５のスケーリングファクタの使用に適応させることと
を行うようにさらに構成される、請求項５０に記載のデバイス。
【請求項５２】
前記少なくとも１つのプロセッサは、
少なくとも前記第１のアップリンクフレキシブル帯域幅キャリアを前記第２のダウンリンクキャリアと、または前記第２のアップリンクフレキシブル帯域幅キャリアを前記第１のダウンリンクキャリアと結合することを行うようにさらに構成される、
請求項５１に記載のデバイス。
【請求項５３】
前記少なくとも１つのプロセッサは、
少なくとも１人のユーザの少なくとも要求事項または必要事項に基づいて、少なくとも前記第１のアップリンクフレキシブル帯域幅キャリア、前記第２のアップリンクフレキシブル帯域幅キャリア、前記第１のダウンリンクフレキシブル帯域幅キャリア、または前記第２のリンクフレキシブル帯域幅キャリアに、前記少なくとも１人のユーザを割り当てることを行うようにさらに構成される、
請求項５１に記載のデバイス。
【請求項５４】
前記少なくとも１つのプロセッサは、
少なくとも、前記第１のアップリンクフレキシブル帯域幅キャリアについての第１の中心周波数または前記第１のダウンリンクフレキシブル帯域幅キャリアについての第２の中心周波数を変更することを行うようにさらに構成される、
請求項５０に記載のデバイス。
【請求項５５】
前記少なくとも１つのプロセッサは、
前記第２のスケーリングファクタをモバイルデバイスに送信することと、
前記第１のフレキシブル帯域幅キャリアの前記帯域幅が前記第１のスケーリングファクタの使用から前記第２のスケーリングファクタの使用にいつ適応されるかに関する少なくとも時間またはタイミング期間を、前記モバイルデバイスに送信することと
を行うようにさらに構成される、請求項４３に記載のデバイス。
【請求項５６】
前記少なくとも１つのプロセッサは、
前記タイミング期間中は前記モバイルデバイスにデータを送信するのを控えるようにさらに構成される、
請求項５５に記載のデバイス。
【発明の詳細な説明】
【関連出願】
【０００１】
相互関連出願
本特許出願は、本出願の譲受人に譲渡され、参照により本明細書に明確に組み込まれる、２０１１年１１月７日に出願された「ＦＲＡＣＴＩＯＮＡＬ  ＳＹＳＴＥＭＳ  ＩＮ  ＷＩＲＥＬＥＳＳ  ＣＯＭＭＵＮＩＣＡＴＩＯＮＳ」と題する仮出願第６１／５５６，７７７号の優先権を主張する。本特許出願は、本出願の譲受人に譲渡され、参照により本明細書に明確に組み込まれる、２０１１年１２月９日に出願された「ＳＩＧＮＡＬ  ＣＡＰＡＣＩＴＹ  ＢＯＯＳＴＩＮＧ，  ＣＯＯＲＤＩＮＡＴＥＤ  ＦＯＲＷＡＲＤ  ＬＩＮＫ  ＢＬＡＮＫＩＮＧ  ＡＮＤ  ＰＯＷＥＲ  ＢＯＯＳＴＩＮＧ，  ＡＮＤ  ＲＥＶＥＲＳＥ  ＬＩＮＫ  ＴＨＲＯＵＧＨＰＵＴ  ＩＮＣＲＥＡＳＩＮＧ  ＦＯＲ  ＦＬＥＸＩＢＬＥ  ＢＡＮＤＷＩＤＴＨ  ＳＹＳＴＥＭＳ」と題する仮出願第６１／５６８，７４２号の優先権をさらに主張する。
【背景技術】
【０００２】
ワイヤレス通信システムは、音声、ビデオ、パケットデータ、メッセージ通信、ブロードキャストなどの様々なタイプの通信コンテンツを提供するように広く展開されている。これらのシステムは、利用可能なシステムリソース（たとえば、時間、周波数、および出力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００３】
サービスプロバイダは一般に、いくつかの地理的領域において排他的に使用するための周波数スペクトルのブロックを割り振られる。これらの周波数ブロックは概して、使われる多元接続技術とは関係なく、調整器によって割り当てられる。ほとんどの場合、これらのブロックは、チャネル帯域幅の整数倍ではなく、したがって、未使用のスペクトル部があり得る。ワイヤレスデバイスの使用が増すにつれ、このスペクトルの需要および価値も、概して急騰している。それにも関わらず、場合によっては、ワイヤレス通信システムは、割り振られたスペクトルの部分が、標準または通常波形に適合するのに十分には大きくないので、それらの部分を使用することができない。ＬＴＥ規格の開発者は、たとえば、この問題を認識しており、６つの異なるシステム帯域幅、すなわち１．４、３、５、１０、１５および２０ＭＨｚをサポートすることを決定した。この決定により、問題への１つの部分的解決法が提供され得る。フレキシブル帯域幅キャリアは別の解決法を提供することができるが、いくつかのフレキシブル帯域幅キャリアは、たとえば、特定のスケーリングファクタを使用して固定幅の帯域幅を使用することができる。
【発明の概要】
【０００４】
フレキシブル帯域幅キャリアの帯域幅を動的に適応させるための方法、システム、およびデバイスが提供される。フレキシブル帯域幅キャリアの帯域幅の適応は、フレキシブル帯域幅信号のスケールファクタを変更することにより遂行することができる。たとえばトラフィックパターン、干渉測定値などの情報が、適応スケーリングファクタを判断するのに使用され得る。マクロセルラー展開では、フレキシブル帯域幅システムの帯域幅の動的な調節は、ネットワーク容量を増やし、他のキャリアに対して引き起こされる干渉を軽減し、隣接キャリア干渉を避け、かつ／またはネットワーク上でエネルギーを節約するために使用することができる。トラフィックパターンおよび他の情報も、フレキシブル帯域幅キャリアのアップリンクおよびダウンリンク帯域幅を、一緒にまたは個別に動的に調節するのに使用することができる。
【０００５】
ワイヤレス通信システムのためのフレキシブル帯域幅キャリアは、フレキシブル波形を使用する、通常波形に適合するのに十分大きくない可能性があるスペクトル部分を使用し得る。フレキシブル帯域幅システムは、通常帯域幅システムに対するフレキシブル帯域幅システムの時間またはチップレートの拡張、またはスケールダウンを通して、通常帯域幅システムに対して生成され得る。いくつかの実施形態は、フレキシブル帯域幅システムの時間またはチップレートの拡大適用、またはスケールアップにより、波形の帯域幅を増大させ得る。
【０００６】
いくつかの実施形態は、ワイヤレス通信システム内でフレキシブル帯域幅を動的に適応させるための方法を含む。この方法は、第１のフレキシブル帯域幅キャリアの第１のスケーリングファクタを識別すること、第２のスケーリングファクタを判断すること、および／または第１のフレキシブル帯域幅キャリアの帯域幅を、第１のスケーリングファクタの使用から第２のスケーリングファクタの使用に適応させることを含み得る。
【０００７】
第１のフレキシブル帯域幅の帯域幅を、第１のスケーリングファクタの使用から、第２のスケーリングファクタの使用に適応させることは、第１のフレキシブル帯域幅キャリアの帯域幅を増大させることを含み得る。第１のフレキシブル帯域幅の帯域幅を、第１のスケーリングファクタの使用から、第２のスケーリングファクタの使用に適応させることは、第１のフレキシブル帯域幅キャリアの帯域幅を減少させることを含み得る。
【０００８】
いくつかの実施形態は、第１のフレキシブル帯域幅キャリアにとどまるモバイルデバイスを別の帯域幅キャリアにハンドオーバしてから、第１のフレキシブル帯域幅キャリアの帯域幅を減少させることをさらに含む。いくつかの実施形態は、第１のダウンリンクフレキシブル帯域幅キャリアの帯域幅を、第１のスケーリングファクタの使用から、第２のスケーリングファクタとは異なる第３のスケーリングファクタの使用に適応させることをさらに含む。第１のフレキシブル帯域幅キャリアは第１のアップリンクフレキシブル帯域幅キャリアを含むことができ、第２のスケーリングファクタおよび第３のスケーリングファクタは、少なくとも第１のアップリンクフレキシブル帯域幅キャリアまたは第１のダウンリンクフレキシブル帯域幅キャリアについての１つまたは複数のトラフィックパターンに基づいて判断され得る。いくつかの実施形態は、第２のダウンリンクフレキシブル帯域幅キャリアの帯域幅を、第１のスケーリングファクタの使用から、第４のスケーリングファクタの使用に適応させること、および／または第２のアップリンクフレキシブル帯域幅キャリアの帯域幅を、第１のスケーリングファクタの使用から、第５のスケーリングファクタの使用に適応させることをさらに含む。いくつかの実施形態は、少なくとも、第１のアップリンクフレキシブル帯域幅キャリアを第２のダウンリンクキャリアと、または第２のアップリンクフレキシブル帯域幅キャリアを第１のダウンリンクキャリアと結合することをさらに含む。いくつかの実施形態は、少なくとも１人のユーザの少なくとも要求事項または必要事項に基づいて、少なくとも第１のアップリンクフレキシブル帯域幅キャリア、第２のアップリンクフレキシブル帯域幅キャリア、第１のダウンリンクフレキシブル帯域幅キャリア、または第２のダウンリンクフレキシブル帯域幅キャリアに、少なくとも１人のユーザを割り当てることをさらに含む。いくつかの実施形態は、少なくとも第１のアップリンクフレキシブル帯域幅キャリア用の第１の中心周波数または第１のダウンリンクフレキシブル帯域幅キャリア用の第２の中心周波数を変更することをさらに含む。
【０００９】
いくつかの実施形態は、第２のスケーリングファクタをモバイルデバイスに送信するように、および／または少なくとも、第１のフレキシブル帯域幅キャリアの帯域幅が、第１のスケーリングファクタの使用から第２のスケーリングファクタの使用にいつ適応されるかに関する時間もしくはタイミング期間を、モバイルデバイスに送信することをさらに含む。いくつかの実施形態は、タイミング期間中はモバイルデバイスにデータを送信するのを控えることをさらに含む。
【００１０】
いくつかの実施形態では、第１のフレキシブル帯域幅キャリアの帯域幅を増大させると、第１のフレキシブル帯域幅キャリアの容量が増える。いくつかの実施形態では、第１のフレキシブル帯域幅キャリアの帯域幅を減少させることは、少なくとも、１つもしくは複数のセルとの干渉を削減すること、帯域内干渉を削減すること、またはエネルギーを節約することを備える。
【００１１】
いくつかの実施形態は、フレキシブル帯域幅を動的に適応させるために構成されたワイヤレス通信システムを含む。このシステムは、第１のフレキシブル帯域幅キャリアの第１のスケーリングファクタを識別するための手段、第２のスケーリングファクタを判断するための手段、および／または第１のフレキシブル帯域幅キャリアの帯域幅を、第１のスケーリングファクタの使用から第２のスケーリングファクタの使用に適応させるための手段を含み得る。
【００１２】
第１のフレキシブル帯域幅の帯域幅を、第１のスケーリングファクタの使用から、第２のスケーリングファクタの使用に適応させるための手段は、第１のフレキシブル帯域幅キャリアの帯域幅を増大させるための手段を含み得る。第１のフレキシブル帯域幅の帯域幅を、第１のスケーリングファクタの使用から、第２のスケーリングファクタの使用に適応させるための手段は、第１のフレキシブル帯域幅キャリアの帯域幅を減少させるための手段を含み得る。いくつかの実施形態は、第１のフレキシブル帯域幅キャリアにとどまるモバイルデバイスを別の帯域幅キャリアにハンドオーバしてから、第１のフレキシブル帯域幅キャリアの帯域幅を減少させるための手段をさらに含む。
【００１３】
いくつかの実施形態は、第１のダウンリンクフレキシブル帯域幅キャリアの帯域幅を、第１のスケーリングファクタの使用から、第２のスケーリングファクタとは異なる第３のスケーリングファクタの使用に適応させるための手段をさらに含む。第１のフレキシブル帯域幅キャリアは第１のアップリンクフレキシブル帯域幅キャリアを含むことができ、第２のスケーリングファクタおよび第３のスケーリングファクタは、少なくとも第１のアップリンクフレキシブル帯域幅キャリアまたは第１のダウンリンクフレキシブル帯域幅キャリアについての１つまたは複数のトラフィックパターンに基づいて判断される。いくつかの実施形態は、第２のダウンリンクフレキシブル帯域幅キャリアの帯域幅を、第１のスケーリングファクタの使用から、第４のスケーリングファクタの使用に適応させるための手段、および／または第２のアップリンクフレキシブル帯域幅キャリアの帯域幅を、第１のスケーリングファクタの使用から、第５のスケーリングファクタの使用に適応させるための手段をさらに含む。いくつかの実施形態は、少なくとも、第１のアップリンクフレキシブル帯域幅キャリアを第２のダウンリンクキャリアと、または第２のアップリンクフレキシブル帯域幅キャリアを第１のダウンリンクキャリアと結合するための手段をさらに含む。いくつかの実施形態は、少なくとも１人のユーザの少なくとも要求事項または必要事項に基づいて、少なくとも第１のアップリンクフレキシブル帯域幅キャリア、第２のアップリンクフレキシブル帯域幅キャリア、第１のダウンリンクフレキシブル帯域幅キャリア、または第２のダウンリンクフレキシブル帯域幅キャリアに、少なくとも１人のユーザを割り当てるための手段をさらに含む。いくつかの実施形態は、少なくとも第１のアップリンクフレキシブル帯域幅キャリア用の第１の中心周波数または第１のダウンリンクフレキシブル帯域幅キャリア用の第２の中心周波数を変更するための手段をさらに含む。
【００１４】
いくつかの実施形態は、第２のスケーリングファクタをモバイルデバイスに送信するための手段、および／または少なくとも、第１のフレキシブル帯域幅キャリアの帯域幅が、第１のスケーリングファクタの使用から第２のスケーリングファクタの使用にいつ適応されるかに関する時間もしくはタイミング期間を、モバイルデバイスに送信するための手段をさらに含む。いくつかの実施形態は、タイミング期間中はモバイルデバイスにデータを送信するのを控えるための手段をさらに含む。
【００１５】
いくつかの実施形態では、第１のフレキシブル帯域幅キャリアの帯域幅を増大させると、第１のフレキシブル帯域幅キャリアの容量が増える。いくつかの実施形態では、第１のフレキシブル帯域幅キャリアの帯域幅を減少させることは、少なくとも、１つもしくは複数のセルとの干渉を削減すること、帯域内干渉を削減すること、またはエネルギーを節約することを備える。
【００１６】
いくつかの実施形態は、第１のフレキシブル帯域幅キャリアの第１のスケーリングファクタを識別するためのコードと、第２のスケーリングファクタを判断するためのコードと、第１のフレキシブル帯域幅キャリアの帯域幅を、第１のスケーリングファクタの使用から第２のスケーリングファクタの使用に適応させるためのコードとを含み得る非一時的コンピュータ可読媒体を含み得る、ワイヤレス通信システムにおいてフレキシブル帯域幅を動的に適応させるためのコンピュータプログラム製品を含む。
【００１７】
第１のフレキシブル帯域幅の帯域幅を、第１のスケーリングファクタの使用から、第２のスケーリングファクタの使用に適応させるためのコードは、第１のフレキシブル帯域幅キャリアの帯域幅を増大させるためのコードを含み得る。第１のフレキシブル帯域幅の帯域幅を、第１のスケーリングファクタの使用から、第２のスケーリングファクタの使用に適応させるためのコードは、第１のフレキシブル帯域幅キャリアの帯域幅を減少させるためのコードを含み得る。非一時的コンピュータ可読媒体は、第１のフレキシブル帯域幅キャリアにとどまるモバイルデバイスを別の帯域幅キャリアにハンドオーバしてから、第１のフレキシブル帯域幅キャリアの帯域幅を減少させるためのコードをさらに含み得る。
【００１８】
いくつかの実施形態では、非一時的コンピュータ可読媒体は、第１のダウンリンクフレキシブル帯域幅キャリアの帯域幅を、第１のスケーリングファクタの使用から、第２のスケーリングファクタとは異なる第３のスケーリングファクタの使用に適応させるためのコードをさらに含む。第１のフレキシブル帯域幅キャリアは第１のアップリンクフレキシブル帯域幅キャリアを含むことができ、第２のスケーリングファクタおよび第３のスケーリングファクタは、少なくとも第１のアップリンクフレキシブル帯域幅キャリアまたは第１のダウンリンクフレキシブル帯域幅キャリアについての１つまたは複数のトラフィックパターンに基づいて判断され得る。非一時的コンピュータ可読媒体は、第２のダウンリンクフレキシブル帯域幅キャリアの帯域幅を、第１のスケーリングファクタの使用から、第４のスケーリングファクタの使用に適応させるためのコード、および／または第２のアップリンクフレキシブル帯域幅キャリアの帯域幅を、第１のスケーリングファクタの使用から、第５のスケーリングファクタの使用に適応させるためのコードをさらに含み得る。非一時的コンピュータ可読媒体は、少なくとも、第１のアップリンクフレキシブル帯域幅キャリアを第２のダウンリンクキャリアと、または第２のアップリンクフレキシブル帯域幅キャリアを第１のダウンリンクキャリアと結合するためのコードをさらに含み得る。非一時的コンピュータ可読媒体は、少なくとも１人のユーザの少なくとも要求事項または必要事項に基づいて、少なくとも第１のアップリンクフレキシブル帯域幅キャリア、第２のアップリンクフレキシブル帯域幅キャリア、第１のダウンリンクフレキシブル帯域幅キャリア、または第２のダウンリンクフレキシブル帯域幅キャリアに、少なくとも１人のユーザを割り当てるためのコードをさらに含み得る。いくつかの実施形態では、非一時的コンピュータ可読媒体は、少なくとも第１のアップリンクフレキシブル帯域幅キャリア用の第１の中心周波数または第１のダウンリンクフレキシブル帯域幅キャリア用の第２の中心周波数を変更するためのコードをさらに含む。
【００１９】
いくつかの実施形態では、非一時的コンピュータ可読媒体は、第２のスケーリングファクタをモバイルデバイスに送信するためのコード、および／または少なくとも、第１のフレキシブル帯域幅キャリアの帯域幅が、第１のスケーリングファクタの使用から第２のスケーリングファクタの使用にいつ適応されるかに関する時間もしくはタイミング期間を、モバイルデバイスに送信するためのコードをさらに含む。非一時的コンピュータ可読媒体は、タイミング期間中はモバイルデバイスにデータを送信するのを控えることをさらに含み得る。
【００２０】
いくつかの実施形態では、第１のフレキシブル帯域幅キャリアの帯域幅を増大させると、第１のフレキシブル帯域幅キャリアの容量が増える。いくつかの実施形態では、第１のフレキシブル帯域幅キャリアの帯域幅を減少させることは、少なくとも、１つもしくは複数のセルとの干渉を削減すること、帯域内干渉を削減すること、またはエネルギーを節約することを備える。
【００２１】
いくつかの実施形態は、ワイヤレス通信システムにおいてフレキシブル帯域幅を動的に適応させるために構成されたワイヤレス通信デバイスを含む。このデバイスは、第１のフレキシブル帯域幅キャリアの第１のスケーリングファクタを識別し、第２のスケーリングファクタを判断し、かつ／または第１のフレキシブル帯域幅キャリアの帯域幅を、第１のスケーリングファクタの使用から第２のスケーリングファクタの使用に適応させるように構成された少なくとも１つのプロセッサを含み得る。第１のフレキシブル帯域幅の帯域幅を、第１のスケーリングファクタの使用から第２のスケーリングファクタの使用に適応させるように構成された少なくとも１つのプロセッサは、第１のフレキシブル帯域幅キャリアの帯域幅を増大させるように構成され得る。第１のフレキシブル帯域幅の帯域幅を、第１のスケーリングファクタの使用から第２のスケーリングファクタの使用に適応させるように構成された少なくとも１つのプロセッサは、第１のフレキシブル帯域幅キャリアの帯域幅を減少させるように構成され得る。少なくとも１つのプロセッサは、第１のフレキシブル帯域幅キャリアにとどまるモバイルデバイスを別の帯域幅キャリアにハンドオーバしてから、第１のフレキシブル帯域幅キャリアの帯域幅を減少させるようにさらに構成され得る。
【００２２】
いくつかの実施形態では、少なくとも１つのプロセッサは、第１のダウンリンクフレキシブル帯域幅キャリアの帯域幅を、第１のスケーリングファクタの使用から、第２のスケーリングファクタとは異なる第３のスケーリングファクタの使用に適応させるようにさらに構成される。第１のフレキシブル帯域幅キャリアは第１のアップリンクフレキシブル帯域幅キャリアを含むことができ、第２のスケーリングファクタおよび第３のスケーリングファクタは、少なくとも第１のアップリンクフレキシブル帯域幅キャリアまたは第１のダウンリンクフレキシブル帯域幅キャリアについての１つまたは複数のトラフィックパターンに基づいて判断される。少なくとも１つのプロセッサは、第２のダウンリンクフレキシブル帯域幅キャリアの帯域幅を、第１のスケーリングファクタの使用から、第４のスケーリングファクタの使用に適応させ、および／または第２のアップリンクフレキシブル帯域幅キャリアの帯域幅を、第１のスケーリングファクタの使用から、第５のスケーリングファクタの使用に適応させるようにさらに構成され得る。少なくとも１つのプロセッサは、少なくとも、第１のアップリンクフレキシブル帯域幅キャリアを第２のダウンリンクキャリアと、または第２のアップリンクフレキシブル帯域幅キャリアを第１のダウンリンクキャリアと結合するようにさらに構成され得る。少なくとも１つのプロセッサは、少なくとも１人のユーザの少なくとも要求事項または必要事項に基づいて、少なくとも第１のアップリンクフレキシブル帯域幅キャリア、第２のアップリンクフレキシブル帯域幅キャリア、第１のダウンリンクフレキシブル帯域幅キャリア、または第２のダウンリンクフレキシブル帯域幅キャリアに、少なくとも１人のユーザを割り当てるようにさらに構成され得る。少なくとも１つのプロセッサは、少なくとも第１のアップリンクフレキシブル帯域幅キャリア用の第１の中心周波数または第１のダウンリンクフレキシブル帯域幅キャリア用の第２の中心周波数を変更するようにさらに構成され得る。
【００２３】
いくつかの実施形態では、少なくとも１つのプロセッサは、第２のスケーリングファクタをモバイルデバイスに送信し、かつ／または少なくとも、第１のフレキシブル帯域幅キャリアの帯域幅が、第１のスケーリングファクタの使用から第２のスケーリングファクタの使用にいつ適応されるかに関する時間もしくはタイミング期間を、モバイルデバイスに送信するようにさらに構成される。少なくとも１つのプロセッサは、タイミング期間中はモバイルデバイスにデータを送信するのを控えるようにさらに構成され得る。
【００２４】
いくつかの実施形態では、第１のフレキシブル帯域幅キャリアの帯域幅を増大させると、第１のフレキシブル帯域幅キャリアの容量が増える。いくつかの実施形態では、第１のフレキシブル帯域幅キャリアの帯域幅を減少させることは、少なくとも、１つもしくは複数のセルとの干渉を削減すること、帯域内干渉を削減すること、またはエネルギーを節約することを備える。
【００２５】
上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実施するための他の構造を変更または設計するための基礎として容易に利用され得る。そのような等価な構成は、添付の特許請求の範囲の趣旨および範囲から逸脱しない。関連する利点とともに、本明細書で開示する概念の編成と動作の方法の両方に関して、それらの概念を特徴づけると考えられる特徴は、添付の図に関連して以下の説明を検討するとより良く理解されよう。図の各々は、例示および説明のみの目的で提供され、特許請求の範囲を定めるものではない。
【図面の簡単な説明】
【００２６】
以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図１】様々な実施形態によるワイヤレス通信システムのブロック図。
【図２Ａ】様々な実施形態による、通常波形に適合するのに十分広くはないスペクトル部分にフレキシブル波形が適合するワイヤレス通信システムの例を示す図。
【図２Ｂ】様々な実施形態による、フレキシブル波形が、帯域エッジに近いスペクトル部分に適合するワイヤレス通信システムの例を示す図。
【図２Ｃ】様々な実施形態による、フレキシブル波形が通常波形と部分的にオーバーラップするワイヤレス通信システムの例を示す図。
【図２Ｄ】様々な実施形態による、フレキシブル波形が通常波形によって完全にオーバーラップされるワイヤレス通信システムの例を示す図。
【図２Ｅ】様々な実施形態による、あるフレキシブル波形が通常波形によって完全にオーバーラップされ、別のフレキシブル波形が通常波形に部分的にオーバーラップするワイヤレス通信システムの例を示す図。
【図２Ｆ】様々な実施形態による、ある通常波形が別の通常波形に部分的にオーバーラップするワイヤレス通信システムの例を示す図。
【図３】様々な実施形態によるワイヤレス通信システムのブロック図。
【図４】様々な実施形態によるキャリアシステムを示す図。
【図５Ａ】様々な実施形態による帯域幅キャリアを示す図。
【図５Ｂ】様々な実施形態による帯域幅キャリアを示す図。
【図５Ｃ】様々な実施形態による帯域幅キャリアを示す図。
【図６】様々な実施形態によるワイヤレス通信システムを示す図。
【図７Ａ】様々な実施形態によるシステム通信を示す図。
【図７Ｂ】様々な実施形態によるシステム通信を示す図。
【図８Ａ】様々な実施形態によるキャリアシステムを示す図。
【図８Ｂ】様々な実施形態によるキャリアシステムを示す図。
【図８Ｃ】様々な実施形態によるキャリアシステムを示す図。
【図８Ｄ】様々な実施形態によるキャリアシステムを示す図。
【図９】様々な実施形態による、動的帯域幅適応機能性を含むデバイスのブロック図。
【図１０】様々な実施形態によるモバイルデバイスのブロック図。
【図１１】様々な実施形態によるワイヤレス通信システムのブロック図。
【図１２】様々な実施形態による、基地局とモバイルデバイスとを含むワイヤレス通信システムのブロック図。
【図１３Ａ】様々な実施形態による、ワイヤレス通信システム内で帯域幅を動的に適応させるための方法のフローチャート。
【図１３Ｂ】様々な実施形態による、ワイヤレス通信システム内で干渉を削減するための方法のフローチャート。
【発明を実施するための形態】
【００２７】
マクロセル展開において使用することができるフレキシブル帯域幅キャリア用に帯域幅を動的に調節するための方法、システム、およびデバイスが提供される。マクロセルラーフレキシブル帯域幅システムに対して、いくつかの展開は、既存の通常セルラーキャリアとは別個のキャリア周波数内である場合があり、これらのフレキシブル帯域幅キャリアは、通常セルラーキャリアに隣接し得る。容量を増やすために、フレキシブル帯域幅キャリアは、通常セルラーキャリア（たとえば、ＵＭＴＳ／ＤＯキャリア）の比較的近くに置かれてよい。これは、フレキシブル帯域幅キャリアと既存のセルラーキャリアの両方にとって、大幅な隣接キャリア干渉につながり得る。さらに、正規セルラーキャリア（たとえば、ＵＭＴＳ／ＤＯ）は概して、不十分な帯域幅使用および大幅なネットワークエネルギー消費に一般につながり得る固定帯域幅を有する。
【００２８】
たとえばトラフィックパターン、干渉測定値などの情報に基づいてフレキシブル帯域幅信号のスケールファクタを動的に変更することによって、フレキシブル帯域幅キャリアの帯域幅を動的に適応させることにより、これらの問題に対処することができる方法、システム、およびデバイスが提供される。
【００２９】
たとえば、マクロセルラー展開では、フレキシブル帯域幅信号の帯域幅は、フレキシブル帯域幅信号のスケーリングファクタを動的に低下させることにより増大され得る。フレキシブル帯域幅信号の帯域幅の増大は、キャリアのネットワーク容量を増やすのに使用され得る。フレキシブル帯域幅信号の帯域幅は、フレキシブルシステムのスケーリングファクタを動的に増大させることにより減少され得る。これは、他のセルに対する干渉の削減および／または帯域内干渉の削減などの目的を達成するのに使用することができる。いくつかの実施形態では、フレキシブル帯域幅キャリアは、エネルギーを節約するのに使用することができる。たとえば、オーバーレイフレキシブル帯域幅キャリアは、そのトラフィックが低いときは、その帯域幅を削減してよく、またはオフになってもよく、次いで、近接セルにおいてトラフィックが増加したときはオンに戻ってよい。フレキシブル帯域幅キャリアがその帯域幅を削減し、または電源切断する前に、フレキシブル帯域幅キャリアにとどまるモバイルデバイスは、アンダーレイフレキシブルまたは通常帯域幅キャリアに移動されてよい。アンダーレイキャリアおよびオーバーレイキャリアは、コロケートであっても、非コロケートであってもよい。場合によっては、オーバーレイフレキシブル帯域幅キャリアがその帯域幅を変更し、または電源切断される間にどのデータも送信用にスケジュールされなくてよい間、モバイルデバイスは、オーバーレイフレキシブル帯域幅キャリアに留まってよい。
【００３０】
いくつかの実施形態では、フレキシブル帯域幅キャリアのアップリンクおよびダウンリンク帯域幅は、一緒にまたは個別に動的に調節され得る。トラフィックパターンなどの情報は、フレキシブル帯域幅キャリアのアップリンクおよび／またはダウンリンク帯域幅をどのようにして動的に調節するか判断するのに使用することができる。場合によっては、アップリンクキャリア帯域幅が増大され、または一定に保たれる間、ダウンリンクキャリア帯域幅の帯域幅は減少され得る。チャネル番号も、アップリンクおよび／またはダウンリンク帯域幅キャリア用の中心周波数が動的に変更され得るように動的に変更され得る。
【００３１】
ワイヤレス通信システムのためのフレキシブル帯域幅キャリアおよび／または波形は、フレキシブル波形を使用して、通常波形に適合するのに十分大きくなくてよいスペクトル部分を使用し得る。フレキシブル帯域幅システムは、通常帯域幅システムに対するフレキシブル帯域幅システムの時間またはチップレートの拡張、またはスケールダウンを通して、通常帯域幅システムに対して生成され得る。いくつかの実施形態は、フレキシブル帯域幅システムの時間またはチップレートの拡大適用、またはスケールアップにより、波形の帯域幅を増大させ得る。
【００３２】
本明細書で説明する技法は、ＣＤＭＡ、ＴＤＭＡ、ＦＤＭＡ、ＯＦＤＭＡ、ＳＣ−ＦＤＭＡ、ピアツーピア、および他のシステムなど、様々なワイヤレス通信システムに使用され得る。「システム」および「ネットワーク」という用語は、しばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、ハイレートパケットデータ（ＨＲＰＤ）などと呼ばれる。ＵＴＲＡは、広帯域ＣＤＭＡ（ＷＣＤＭＡ（登録商標））およびＣＤＭＡの他の変形態を含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡまたはＯＦＤＭシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００およびＵＭＢは「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織の文書に記載されている。本明細書で説明する技法は、上記のシステムおよび無線技術、ならびに他のシステムおよび無線技術に使用され得る。
【００３３】
したがって、以下の説明は、例を与えるものであり、特許請求の範囲において記載される範囲、適用性、または構成を限定するものではない。本開示の趣旨および範囲から逸脱することなく、論じられる要素の機能および構成において変更が行われ得る。様々な実施形態は、適宜に様々な手順または構成要素を省略、置換、または追加し得る。たとえば、説明される方法は、説明される順序とは異なる順序で実施されてよく、様々なステップが追加、省略、または組み合わされてよい。また、いくつかの実施形態に関して説明する特徴は、他の実施形態において組み合わせられ得る。
【００３４】
最初に図１を参照すると、ブロック図は、様々な実施形態によるワイヤレス通信システム１００の一例を示す。システム１００は、基地局１０５と、モバイルデバイス１１５と、基地局コントローラ１２０と、コアネットワーク１３０とを含む（コントローラ１２０は、いくつかの実施形態ではコアネットワーク１３０に組み込まれてよく、いくつかの実施形態では、コントローラ１２０は、基地局１０５に組み込まれてよい）。システム１００は、複数のキャリア（異なる周波数の波形信号）での動作をサポートし得る。マルチキャリア送信機は、複数のキャリアで同時に、被変調信号を送信し得る。各被変調信号は、符号分割多元接続（ＣＤＭＡ）信号、時分割多元接続（ＴＤＭＡ）信号、周波数分割多元接続（ＦＤＭＡ）信号、直交ＦＤＭＡ（ＯＦＤＭＡ）信号、シングルキャリアＦＤＭＡ（ＳＣ−ＦＤＭＡ）信号などであり得る。各被変調信号は、異なるキャリア上で送られ得、制御情報（たとえば、パイロット信号）、オーバーヘッド情報、データなどを搬送し得る。システム１００は、ネットワークリソースを効率的に割り振ることが可能なマルチキャリアＬＴＥネットワークであり得る。
【００３５】
モバイルデバイス１１５は、移動局、モバイルデバイス、アクセス端末、加入者ユニットまたはユーザ機器のうちの任意のタイプであってよい。モバイルデバイス１１５は、セルラーフォンとワイヤレス通信デバイスとを含み得るが、携帯情報端末（ＰＤＡ）、スマートフォン、他のハンドヘルドデバイス、ネットブック、ノートブックコンピュータなどをも含み得る。したがって、モバイルデバイスという用語は、任意のタイプのワイヤレスまたはモバイルの通信デバイスを含むために、特許請求の範囲を含めて以下に広く解釈されるべきである。
【００３６】
基地局１０５は、基地局アンテナを介してモバイルデバイス１１５とワイヤレス通信し得る。基地局１０５は、複数のキャリアを介してコントローラ１２０の制御下でモバイルデバイス１１５と通信するように構成され得る。基地局１０５のサイトの各々は、それぞれの地理的エリアに通信カバレージを与えることができる。いくつかの実施形態では、基地局１０５は、ノードＢ、ｅノードＢ、ホームノードＢ、および／またはホームｅノードＢと呼ばれ得る。ここでは、基地局１０５に対するカバレージエリア１１０は、１１０−ａ、１１０−ｂ、または１１０−ｃとして識別される。基地局のためのカバレージエリアは、セクタ（図示しないが、カバレージエリアの一部のみを構成する）に分割され得る。システム１００は、異なるタイプの基地局１０５（たとえば、マクロ基地局、マイクロ基地局、フェムト基地局、および／またはピコ基地局）を含み得る。
【００３７】
モバイルデバイス１１５、基地局１０５、コアネットワーク１３０、および／またはコントローラ１２０など、システム１００の異なる態様は、様々な実施形態によると、フレキシブル帯域幅および波形を使用するように構成され得る。システム１００は、たとえば、モバイルデバイス１１５と基地局１０５との間の送信１２５を示す。送信１２５は、モバイルデバイス１１５から基地局１０５へのアップリンクおよび／または逆方向リンク送信、ならびに／あるいは基地局１０５からモバイルデバイス１１５へのダウンリンクおよび／または順方向リンク送信を含み得る。送信１２５は、フレキシブルおよび／または通常波形を含み得る。通常波形は、レガシーおよび／または通常波形とも呼ばれ得る。
【００３８】
モバイルデバイス１１５、基地局１０５、コアネットワーク１３０、および／またはコントローラ１２０など、システム１００の異なる態様は、様々な実施形態によると、フレキシブル帯域幅および波形を使用するように構成され得る。たとえば、システム１００の異なる態様は、通常波形に適合するのに十分に大きくなくてもよいスペクトル部分を使用することができる。モバイルデバイス１１５、基地局１０５、コアネットワーク１３０、および／またはコントローラ１２０などのデバイスは、チップレート、拡散ファクタ、および／またはスケーリングファクタを、フレキシブル帯域幅および／または波形を生成および／または使用するのに適応させるように構成され得る。システム１００のいくつかの態様は、通常サブシステム時間に対する、フレキシブルサブシステムの時間の拡張、またはスケールダウンにより通常サブシステム（他のモバイルデバイス１１５、および／または基地局１０５を使って実装され得る）に対して生成することができるフレキシブルなサブシステム（いくつかのモバイルデバイス１１５、および／または基地局１０５など）を形成することができる。
【００３９】
いくつかの実施形態では、モバイルデバイス１１５、基地局１０５、コアネットワーク１３０、および／またはコントローラ１２０など、システム１００の異なる態様は、様々な実施形態によると、フレキシブル帯域幅を動的に適応させるために構成され得る。たとえば、モバイルデバイス１１５と基地局１０５との間の送信１２５は、動的に適応され得るフレキシブル帯域幅を使用することができる。送信１２５に関連付けられたフレキシブル帯域幅信号のスケールファクタは、動的に調節することができる。これらの調節は、たとえばトラフィックパターン、干渉測定値などの情報に基づいて行われ得る。
【００４０】
たとえば、システム１００では、フレキシブル帯域幅信号の帯域幅は、フレキシブル帯域幅信号のスケーリングファクタを動的に低下させることにより増大され得る。フレキシブル帯域幅信号の帯域幅の増大は、キャリアのネットワーク容量を増やすのに使用され得る。フレキシブル帯域幅信号の帯域幅は、フレキシブルシステムのスケーリングファクタを動的に増大させることにより減少され得る。これは、他のセルに対する干渉の削減および／または帯域内干渉の削減などの目的を達成するのに使用することができる。いくつかの実施形態では、フレキシブル帯域幅キャリアは、システム１００内でエネルギーを節約するのに使用することができる。たとえば、オーバーレイフレキシブル帯域幅キャリアは、そのトラフィックが低いときは、その帯域幅を削減してよく、またはオフになってもよく、次いで、近接セルにおいてトラフィックが増加したときはオンに戻ってよい。フレキシブル帯域幅キャリアがその帯域幅を削減し、または電源切断する前に、基地局１０５に関連付けられたフレキシブル帯域幅キャリアにとどまるモバイルデバイス１１５は、アンダーレイフレキシブルまたは通常帯域幅キャリアに移動されてよい。アンダーレイキャリアおよびオーバーレイキャリアは、コロケートであっても、非コロケートであってもよい。場合によっては、オーバーレイフレキシブル帯域幅キャリアがその帯域幅を変更し、または電源切断される間にどのデータも送信用にスケジュールされなくてよい間、モバイルデバイス１１５は、オーバーレイフレキシブル帯域幅キャリアに留まってよい。
【００４１】
いくつかの実施形態では、基地局１０５および／またはモバイルデバイス１１５に関連付けられたフレキシブル帯域幅キャリアのアップリンクおよびダウンリンク帯域幅は、一緒にまたは個別に動的に調節され得る。システム１００内のトラフィックパターンなどの情報は、フレキシブル帯域幅キャリアのアップリンクおよび／またはダウンリンク帯域幅をどのようにして動的に調節するか判断するのに使用することができる。場合によっては、アップリンクキャリア帯域幅が増大され、または一定に保たれる間、ダウンリンクキャリア帯域幅の帯域幅は減少され得る。チャネル番号も、アップリンクおよび／またはダウンリンク帯域幅キャリア用の中心周波数が動的に変更され得るように動的に変更され得る。
【００４２】
図２Ａは、様々な実施形態による、基地局１０５−ａおよびモバイルデバイス１１５−ａをもつワイヤレス通信システム２００−ａの例を示し、フレキシブル波形２１０−ａは、通常波形２２０−ａに適合するのに十分に広くはないスペクトル部分に適合する。システム２００−ａは、図１のシステム１００の例であり得る。いくつかの実施形態では、フレキシブル波形２１０−ａは、基地局１０５−ａおよび／またはモバイルデバイス１１５−ａのいずれかが送信することができる通常波形２２０−ａとオーバーラップし得る。場合によっては、通常波形２２０−ａは、フレキシブル波形２１０−ａと完全にオーバーラップし得る。いくつかの実施形態は、複数のフレキシブル波形２１０を使用することもできる。いくつかの実施形態では、別の基地局および／またはモバイルデバイス（図示せず）は、通常波形２２０−ａおよび／またはフレキシブル波形２１０−ａを送信することができる。図２Ｂは、基地局１０５−ｂおよびモバイルデバイス１１５−ｂをもつワイヤレス通信システム２００−ｂの例を示し、フレキシブル波形２１０−ｂは、通常波形２２０−ｂが適合することができない、ガード帯域でよい帯域のエッジに近いスペクトル部分に適合する。システム２００−ｂは、図１のシステム１００の一例であり得る。モバイルデバイス１１５−ａ／１１５−ｂおよび／または基地局１０５−ａ／１０５−ｂは、様々な実施形態によると、フレキシブル波形２１０−ａ／２１０−ｂの帯域幅を動的に調節するように構成され得る。
【００４３】
図２Ｃは、様々な実施形態による、フレキシブル波形２１０−ｃが通常波形２２０−ｃと部分的にオーバーラップするワイヤレス通信システム２００−ｃの例を示す。システム２００−ｃは、図１のシステム１００の一例であり得る。図２Ｄは、様々な実施形態による、フレキシブル波形２１０−ｄが通常波形２２０−ｄによって完全にオーバーラップされるワイヤレス通信システム２００−ｄの例を示す。システム２００−ｄは、図１のシステム１００の一例であり得る。図２Ｅは、様々な実施形態による、あるフレキシブル波形２１０−ｆが通常波形２２０−ｅによって完全にオーバーラップされ、別のフレキシブル波形２１０−ｅが通常波形２２０−ｅに部分的にオーバーラップするワイヤレス通信システム２００−ｅの例を示す。システム２００−ｅは、図１のシステム１００の一例であり得る。図２Ｆは、様々な実施形態による、ある通常波形２２０−ｆが別の通常波形２２０−ｇと部分的にオーバーラップするワイヤレス通信システム２００−ｆの例を示す。システム２００−ｆは、図１のシステム１００の一例であり得る。システム２００−ｃ、２００−ｄ、２００−ｅ、および／または２００−ｆは、様々な実施形態によると、フレキシブル波形２１０−ｃ、２１０−ｄ、および／または２１０−ｅの帯域幅が動的に調節され得るように構成され得る。
【００４４】
概して、第１の波形またはキャリア帯域幅と第２の波形またはキャリア帯域幅は、少なくとも１％、２％、および／または５％だけオーバーラップするとき、部分的にオーバーラップし得る。いくつかの実施形態では、部分的オーバーラップは、オーバーラップが少なくとも１０％であるときに起こり得る。いくつかの実施形態では、部分的オーバーラップは、９９％、９８％、および／または９５％未満であり得る。いくつかの実施形態では、オーバーラップは、９０％未満であり得る。場合によっては、フレキシブル波形またはキャリア帯域幅は、図２のシステム２００−ｄにおいて見られるように、別の波形またはキャリア帯域幅に完全に含まれ得る。このオーバーラップは、２つの波形またはキャリア帯域幅が完全には一致しないので、依然として部分的オーバーラップを反映している。概して、部分的オーバーラップは、２つ以上の波形またはキャリア帯域幅が完全には一致しない（すなわち、キャリア帯域幅が同じでない）ことを意味し得る。
【００４５】
いくつかの実施形態は、電力スペクトル密度（ＰＳＤ）に基づいて、異なる定義のオーバーラップを使用することができる。たとえば、ＰＳＤに基づくあるオーバーラップ定義が、第１のキャリアについての次のオーバーラップ式で示されている。
【数１】
0005911967.tif 000002
【００４６】
この式において、ＰＳＤ1（ｆ）は、第１の波形またはキャリア帯域幅についてのＰＳＤであり、ＰＳＤ2（ｆ）は、第２の波形またはキャリア帯域幅についてのＰＳＤである。２つの波形またはキャリア帯域幅が一致するとき、オーバーラップ式は１００％に等しくなり得る。第１の波形またはキャリア帯域幅と第２の波形またはキャリア帯域幅が少なくとも部分的にオーバーラップするとき、オーバーラップ式は１００％に等しくなくてよい。たとえば、オーバーラップ式により、いくつかの実施形態では、１％、２％、５％、および／または１０％以上の部分的オーバーラップが生じ得る。オーバーラップ式により、いくつかの実施形態では、９９％、９８％、９５％、および／または９０％未満の部分的オーバーラップが生じ得る。第１の波形またはキャリア帯域幅が通常波形またはキャリア帯域幅であり、第２の波形またはキャリア波形が、通常帯域幅またはキャリア帯域幅に含まれるフレキシブル波形またはキャリア帯域幅である場合、オーバーラップ式は、百分率として表される、通常帯域幅と比較したフレキシブル帯域幅の比を表し得ることに留意できよう。さらに、オーバーラップ式は、オーバーラップ式がどのキャリア帯域幅の視点に関して公式化されているかに依存し得る。いくつかの実施形態は、他の定義のオーバーラップを使用することができる。場合によっては、次のような平方根演算を使用して、別のオーバーラップが定義され得る。
【数２】
0005911967.tif 000003
【００４７】
他の実施形態は、複数のオーバーラップするキャリアを説明することができる他のオーバーラップ式を使用することができる。
【００４８】
図３は、様々な実施形態による、基地局１０５−ｃならびにモバイルデバイス１１５−ｃおよび１１５ｄをもつワイヤレス通信システム３００を示す。いくつかの実施形態では、基地局１０５−ｃは、システム３００内のフレキシブル帯域幅を動的に適応させるために構成され得る。たとえば、モバイルデバイス１１５−ｃ／１１５−ｄと基地局１０５−ａとの間の送信３０５−ａおよび／または３０５−ｂは、動的に適応され得るフレキシブル波形の帯域幅を使用することができる。基地局１０５−ｃならびに／あるいはモバイルデバイス１１５−ｃおよび／または１１５−ｄは、１つまたは複数のスケーリングファクタを変更することにより、送信３０５−ａおよび／または３０５−ｂの帯域幅に適応され得る。これらの変更は、トラフィックパターン、干渉測定値などの情報に基づいて行われ得る。
【００４９】
３０５−ａおよび／または３０５−ｂの帯域幅は、フレキシブル帯域幅信号のスケーリングファクタを動的に低下させることにより増大され得る。３０５−ａおよび／または３０５−ｂの帯域幅の増大は、キャリアのネットワーク容量を増やすのに使用することができる。３０５−ａおよび／または３０５−ｂの帯域幅は、フレキシブルシステムのスケーリングファクタを動的に増大させることにより減少され得る。これは、他のセルに対する干渉の削減および／または帯域内干渉の削減などの目的を達成するのに使用することができる。いくつかの実施形態では、適応型フレキシブル帯域幅キャリアは、システム１００内でエネルギーを節約するのに使用することができる。たとえば、オーバーレイフレキシブル帯域幅キャリアは、そのトラフィックが低いときは、その帯域幅を削減してよく、またはオフになってもよく、次いで、近接セルにおいてトラフィックが増加したときはオンに戻ってよい。フレキシブル帯域幅キャリアがその帯域幅を削減し、または電源切断する前に、基地局１０５−ｃに関連付けられたフレキシブル帯域幅キャリアにとどまるモバイルデバイス１１５−ｃ／１１５−ｄは、アンダーレイフレキシブルまたは通常帯域幅キャリアに移動されてよい。アンダーレイキャリアおよびオーバーレイキャリアは、コロケートであっても、非コロケートであってもよい。場合によっては、オーバーレイフレキシブル帯域幅キャリアがその帯域幅を変更し、または電源切断される間にどのデータも送信用にスケジュールされなくてよい間、モバイルデバイス１１５−ｃ／１１５−ｄは、オーバーレイフレキシブル帯域幅キャリアに留まってよい。
【００５０】
いくつかの実施形態では、基地局１０５−ｃおよび／またはモバイルデバイス１１５−ｃ／１１５−ｄに関連付けられたフレキシブル帯域幅キャリアのアップリンクおよびダウンリンク帯域幅の一部としての送信３０５−ａおよび／または３０５−ｂは、一緒にまたは個別に動的に調節され得る。システム３００内のトラフィックパターンなどの情報は、フレキシブル帯域幅キャリアのアップリンクおよび／またはダウンリンク帯域幅をどのようにして動的に調節するか判断するのに使用することができる。場合によっては、アップリンクキャリア帯域幅が増大され、または一定に保たれる間、ダウンリンクキャリア帯域幅の帯域幅は減少され得る。チャネル番号も、アップリンクおよび／またはダウンリンク帯域幅キャリア用の中心周波数が動的に変更され得るように動的に変更され得る。
【００５１】
モバイルデバイス１１５−ｃ／１１５−ｄと基地局１０５−ａとの間の送信３０５−ａおよび／または３０５−ｂは、通常波形よりも小さい（または大きい）帯域幅を占めるように生成され得るフレキシブル波形を使用することができる。たとえば、帯域エッジには、通常波形を配置するのに十分な利用可能スペクトルがない場合がある。フレキシブル波形に対して、時間が拡張される（dilated）と、波形によって占有される周波数が下がり、したがって通常波形に適合するのに十分広くはない可能性があるスペクトルにフレキシブル波形を適合させることが可能になる。いくつかの実施形態では、フレキシブル波形は、通常波形に対するスケーリングファクタＮを使用してスケーリングされ得る。スケーリングファクタＮは、たとえば１、２、３、４、８などの整数値を含むが、それらに限定されない、多数の異なる値をとることができる。ただし、Ｎは、整数である必要はない。
【００５２】
いくつかの実施形態は、追加用語を使用することができる。新たな単位Ｄが使用され得る。単位Ｄは拡張される。この単位は無名数（unitless）であり、Ｎの値をもつ。フレキシブルシステムにおける時間については、「拡張時間」によって話すことができる。たとえば、通常時間でのたとえば１０ｍｓのスロットは、フレキシブル時間では１０Ｄｍｓと表すことができる（注：これは、通常時間においてＮ＝１なので、通常時間であっても成り立つ。すなわち、Ｄは１の値をもつので、１０Ｄｍｓ＝１０ｍｓである）。時間スケーリングにおいて、ほとんどの「秒」を「拡張された秒」で置き換えることができる。ヘルツで表される周波数は１／ｓであることに留意されたい。
【００５３】
上述したように、フレキシブル波形は、通常波形よりも小さい帯域幅を占める波形であり得る。したがって、フレキシブル帯域幅システムでは、同じ数のシンボルおよびビットが、通常帯域幅システムと比較して、より長い持続時間にわたって送信され得る。この結果、タイムストレッチが生じてよく、これによってスロット持続時間、フレーム持続時間などが、スケーリングファクタＮだけ増大し得る。スケーリングファクタＮは、通常帯域幅とフレキシブル帯域幅（ＢＷ）の比を表し得る。したがって、フレキシブル帯域幅システムにおけるデータレートは（通常レート×１／Ｎ）に等しくてよく、遅延は（通常遅延×Ｎ）に等しくてよい。概して、フレキシブルシステムチャネルＢＷ＝通常システムチャネルＢＷ／Ｎである。遅延×ＢＷは不変のままでよい。さらに、いくつかの実施形態では、フレキシブル波形は、通常波形よりも多い帯域幅を占める波形であり得る。
【００５４】
本明細書を通して、通常システム、サブシステム、および／または波形という用語は、１に等しくてよい（たとえば、Ｎ＝１）スケーリングファクタまたは通常もしくは標準チップレートを使用し得る実施形態を伴うシステム、サブシステム、および／または波形を指すのに使用することができる。これらの通常システム、サブシステム、および／または波形は、標準および／またはレガシーシステム、サブシステム、および／または波形とも呼ばれ得る。さらに、フレキシブルシステム、サブシステム、および／または波形は、１に等しくなくてよい（たとえば、Ｎ＝２、４、８、１／２、１／４など）スケーリングファクタを使用することができる実施形態を伴うシステム、サブシステム、および／または波形を指すのに使用することができる。Ｎ＞１の場合、またはチップレートが低下された場合、波形の帯域幅は減少し得る。いくつかの実施形態は、帯域幅を増大させるスケーリングファクタまたはチップレートを使用することができる。たとえば、Ｎ＜１の場合、またはチップレートが増大された場合、波形は、通常波形よりも大きい帯域幅をカバーするように拡大され得る。フレキシブルシステム、サブシステム、および／または波形は、場合によってはフラクショナルシステム、サブシステム、および／または波形とも呼ばれ得る。フラクショナルシステム、サブシステム、および／または波形は、たとえば、帯域幅を変更してもしなくてもよい。フラクショナルシステム、サブシステム、または波形は、通常または標準システム、サブシステム、または波形（たとえば、Ｎ＝１システム）よりも多くの可能性をもたらし得るので、フレキシブルであり得る。
【００５５】
いくつかの実施形態は、マクロセルラー展開のための可変スケーリングファクタを与える。可変スケーリングファクタは、１つまたは複数のスケーリングファクタをフレキシブル帯域幅システム用に動的に調整することを含み得る。可変スケーリングファクタは、容量の増大、干渉の軽減および回避、および／または省エネルギーを含むが、それらに限定されない様々な目的に使用することができる。いくつかの実施形態は、アップリンクおよび／またはダウンリンクアプリケーション用の可変スケーリングファクタを与える。
【００５６】
より詳しく上述したように、スケーリングファクタ、すなわちＮは、Ｎ＝１が正規セルラーキャリアを表し、Ｎ＞１（または場合によっては、Ｎ＜１）がフレキシブル帯域幅信号を表し得るように、フレキシブル帯域幅削減ファクタを表すことができる。マクロセル展開に対して、通常およびフレキシブル帯域幅キャリアは、キャリアオフセット（ＣＯ）だけ分離されてよい。たとえば、図４は、フレキシブル帯域幅キャリア４１０からキャリアオフセット４１５だけ分離された通常帯域幅キャリア４２０を含むキャリアシステム４００を示す。図２に示すように、通常帯域幅キャリア（または他のフレキシブル帯域幅キャリア）とフレキシブル帯域幅キャリアとの間のオーバーラップの量ならびに／あるいは各帯域幅キャリアの幅は変わってよく、したがって異なるキャリアオフセットが生じ得る。いくつかの展開において、フレキシブル帯域幅キャリアに対する近接セルは、別のフレキシブル帯域幅キャリアであってもよい。
【００５７】
フレキシブル帯域幅キャリアの帯域幅を適応させるための実施形態が、提供される。いくつかの実施形態は、たとえばトラフィックパターン、干渉測定値などの情報に基づいて、フレキシブル帯域幅信号のスケールファクタを変更することによって、フレキシブル帯域幅キャリアの帯域幅を動的に適応させることを含む。
【００５８】
フレキシブル帯域幅信号の帯域幅は、いくつかの理由により調整され得る。いくつかの状況において、フレキシブル帯域幅信号の帯域幅は減少されてよい。図５Ａは、たとえば、帯域幅キャリア図５００−ａを示し、ここで、フレキシブル帯域幅キャリア５１０−ａは、帯域幅が減少し、結果として調節されたフレキシブル帯域幅キャリア５１０−ｂが生じるように調整され得る。この例では、フレキシブル帯域幅キャリア５１０−ａは、それに関連付けられたスケーリングファクタＮを有してよく、調整帯域幅キャリア５１０−ｂは、それに関連付けられたスケーリングファクタＭを有してよく、ここでＭ＜Ｎである。フレキシブル帯域幅信号の帯域幅を減少させることにより、他のセルに対する干渉を削減することができる。たとえば、フレキシブル帯域幅キャリアが、近接セルに対する干渉を引き起こしている可能性があるという指示がある場合、帯域幅は、他のキャリアに対する干渉を削減するように減少されてよく、いくつかの状況において、近接セルに対する干渉が多大であった可能性がある。フレキシブル帯域幅信号が通常帯域幅キャリアとオーバーラップ中であり得るシナリオにおいて、帯域幅は、オーバーラップ領域を減らすように削減されてよい。フレキシブル帯域幅信号の帯域幅を減少させることにより、帯域内干渉を削減することができる。たとえば、フレキシブル帯域幅セルは、近接セルから（場合によっては深刻であり得る）干渉を受けている可能性がある場合、それ自体の帯域幅を、セル自体のモバイルデバイスまたはＵＥによって受けられるサービス品質（ＱｏＳ）を維持するのを助けるために削減してよい。フレキシブル帯域幅信号の帯域幅を減少させることにより、エネルギーを節約することができる。たとえば、いくつかのキャリア上で容量が必要とされなくてよい場合、そのようなキャリアの帯域幅は削減されてよく、かつ／またはキャリアは、それらのキャリアにおける電力消費を削減するように電源切断されてよい。いくつかの実施形態では、フレキシブル帯域幅信号の帯域幅は、キャリア上での容量を増やすために、フレキシブル帯域幅信号の帯域幅を増大させるように調整され得る。履歴データまたは他の情報に基づいて、オペレータは、ネットワーク上でのトラフィックが増加する時間帯を予測することができる場合があり、そうすることによって、たとえば、そのようなトラフィックに合わせるように、帯域幅増大がスケジュールされ得る。トラフィックが減少すると、フレキシブル帯域幅の帯域幅が再度削減され得る。図５Ｂは、たとえば、帯域幅キャリア図５００−ｂを示し、ここで、フレキシブル帯域幅キャリア５１０−ｃは、帯域幅が増大し、結果として調節されたフレキシブル帯域幅キャリア５１０−ｄが生じるように調整され得る。この例では、フレキシブル帯域幅キャリア５１０−ｃは、それに関連付けられたスケーリングファクタＮ＝Ｐを有してよく、調整帯域幅キャリア５１０−ｄは、それに関連付けられたスケーリングファクタＮ＝Ｑを有してよく、ここでＰ＜Ｑである。
【００５９】
単に例として、キャリアの帯域幅が概して静的であるレガシーリリース９９システム（フレキシブル帯域幅キャリアをもたない）と比較して、フレキシブル帯域幅システムは、基地局においてスケーリングファクタＮ値を変えることによって、動的帯域幅を生じ得る。場合によっては、スケーリングファクタＮは、モバイルデバイスにおいて変えることができる。帯域幅を動的に変更するのにサブキャリアが概して使われるＬＴＥベースのシステム（フレキシブル帯域幅キャリアをもたない）と比較して、フレキシブル帯域幅システムは、その送信帯域幅を調整する能力をもつＣＤＭＡベースのシステムを使用することができる。
【００６０】
いくつかの実施形態では、様々な異なるファクタによって帯域幅変更がトリガされ得る。たとえば、１つまたは複数の特定の時間を使って帯域幅変更がトリガされ得る。いくつかの特定の時間が、トラフィックプロファイリングから抽出され、関連付けられたスケーリングファクタをもつ低負荷期間を構成するのに使用され得る。近接セルからの１つまたは複数のオフロード要求によって、帯域幅変更がトリガされ得る。可能性としては過負荷シナリオにつながり得る、フレキシブル帯域幅モバイルデバイスからの大幅なサービス要求の受信によって、帯域幅変更がトリガされ得る。フラクショナル帯域幅キャリアにおいて現在サポートされるよりも高いＱｏＳについてのモバイルデバイスの要求によって、帯域幅変更がトリガされ得る。
【００６１】
フレキシブル帯域幅システム用の変化する帯域幅が、干渉削減および／または回避のために使用され得る。フレキシブル帯域幅キャリアは、それ自体のモバイルデバイスまたは近接するモバイルデバイスが高い干渉を受けている可能性があると推定し、次いで、その帯域幅を、干渉問題に対処するように適応させることができる。このプロセスを容易にするのに、いくつかのトリガが使用され得る。たとえば、それらのセルにおける高い干渉を示す、近接するキャリアに以前あったモバイルデバイスからのかなりの数のサービス要求によって、帯域幅変更がトリガされ得る。たとえば、近接セルからの高い干渉を示す、フレキシブル帯域幅キャリアに接続されたモバイルデバイスに対する乏しいＱｏＳ（たとえば、高いＢＬＥＲ）によって、帯域幅変更がトリガされ得る。近接セルからの干渉削減要求によって、帯域幅変更がトリガされ得る。
【００６２】
フレキシブル帯域幅システム用の変化する帯域幅が、省エネルギーのためにも使用され得る。たとえば、いくつかの実施形態は、その帯域幅を削減し、またはトラフィックが低いときはオフになり、近接セルにおいてトラフィックが増加したときはオンに戻るオーバーレイフレキシブル帯域幅キャリアを含む。いくつかの状況において、フレキシブル帯域幅キャリアがその帯域幅を削減し、または電源切断する前に、モバイルデバイスは、そのキャリアからアンダーレイ帯域幅キャリアに移動され、アンダーレイ帯域幅キャリアはフレキシブルまたは通常帯域幅キャリアであってよい。アンダーレイキャリアは、オーバーレイとは異なるフレキシブル帯域幅を有し得る。モバイルデバイスが、アンダーレイセル上の帯域幅をサポートすることができる限り、オーバレイセルは電源切断することを認められ得る。図６は、オーバーレイ帯域幅キャリア６１０とアンダーレイ帯域幅キャリア６２０の両方を含むワイヤレス通信システム図６００を示す。一般に、オーバーレイ帯域幅キャリア６１０はフレキシブル帯域幅キャリアを含む。アンダーレイ帯域幅キャリア６２０は、通常帯域幅キャリアであってもフレキシブル帯域幅キャリアであってもよい。アンダーレイ帯域幅キャリア６２０は、オーバーレイ帯域幅キャリアとコロケートされてもコロケートされなくてもよい。コロケートされないシナリオでは、オーバレイセルのカバレージエリアをサポートするのに、複数のキャリアが必要とされ得る。アンダーレイ帯域幅キャリア６２０は、オーバーレイ帯域幅キャリア６１０に電源投入要求を送ることができる。アンダーレイ帯域幅キャリア６２０は、いくつかの場合、その帯域幅を、電源切断され、または帯域幅が削減されたオーバーレイ帯域幅キャリア６１０からのモバイルデバイスに合わせるように増大させなければならない可能性がある。
【００６３】
ここで図７Ａに移ると、システム通信図７００−ａは、様々な実施形態による、帯域幅を変更するための１つの可能手順を示す。モバイルデバイス１１５は、たとえば、ブロック７２５に示されるように、フレキシブル帯域幅キャリア７１０によりアイドルまたは接続モードにあってよい。フレキシブル帯域幅キャリア７１０は、たとえば、図１００に見られる基地局１０５および／またはコントローラ１２０に関連付けられ得る。本明細書で論じる、容量、干渉軽減および／または回避、ならびに／あるいはネットワーク省エネルギー基準を含むが、それらに限定されない様々な異なるファクタに基づいて、帯域幅変更がトリガされ得る。ブロック７３０は、帯域幅を変更するという決定が行われ得ることを反映している。この決定は基地局において行われ得るが、いくつかの状況において、モバイルデバイス、コントローラ、および／またはネットワークが、たとえば、図１に示すように、この決定を行うことができる。トリガされると、システムの１つまたは複数の態様は、帯域幅の変更またはスケーリングファクタＮの変更を調整することができる。たとえば、無線ネットワークコントローラ（ＲＮＣ）などの無線アクセスネットワーク（ＲＡＮ）エンティティが、Ｎの変更を調整する。場合によっては、ＲＮＣは、たとえば、図１に示す基地局１０５の一部であり得る。帯域幅を変更するためのトリガは、メッセージとして受信され、または場合によっては時間に基づき得る。たとえば、別の帯域幅キャリア７２０が、フレキシブル帯域幅キャリア７１０によって、７３５で通知を受けることができる。別の帯域幅キャリア７２０は、通常帯域幅キャリアであってもフレキシブル帯域幅キャリアであってもよい。帯域幅を変更するのに使用することができるスケーリングファクタＮが、判断され得る。場合によっては、この適応型スケーリングファクタは、基地局自体が適応型スケーリングファクタを判断しない場合、基地局にシグナリングされてよい。
【００６４】
いくつかの実施形態は、モバイルデバイスにおける帯域幅変更の影響を、様々なやり方で軽減することができる。たとえば、ブロードキャストチャネル（ＢＣＣＨ）修正情報が使用されてよい。システム通信図７００−ａに示すように、１つまたは複数の他の帯域幅キャリアが、フレキシブル帯域幅キャリアについての帯域幅変更が起こり得ることを、７３５で通知され得る。場合によっては、帯域幅を変更するためのメッセージが、モバイルデバイスにブロードキャストされてよい。モバイルデバイスは、場合によっては、変更が起きたとき、変更をアップデートしてもよい。１つまたは複数のモバイルデバイス１１５は、ブロック７４０に示すように、他の帯域幅キャリアのうち１つにハンドオーバされ、かつ／または再選択され得る。帯域幅変更は、ブロック７４５に示すように実施され得る。モバイルデバイス１１５は、変更の後、ブロック７５０に示すように戻され得る。場合によっては、システム情報が、変更後の他のセルへの再選択と、セルへの戻りとを容易にするように修正され得る。
【００６５】
いくつかの実施形態では、基地局は、ＲＡＮなどのネットワークデバイスから帯域幅変更要求を受信し得る。基地局は、ブロック７４５に示すように帯域幅変更を実施し、変更が完了されると、ネットワークに報告を返すことができる。場合によっては、モバイルデバイスは、ブロック７５０に示すように、帯域幅変更の後、フレキシブル帯域幅キャリアに移動され得る。
【００６６】
フレキシブルスケールファクタは、整数個のサブキャリアに限定されたシステムにとって利用可能でない数値をとることができるので、実施形態は、他の形の通信システムよりも優れたフレキシブル性と粒度とを提供する。
【００６７】
いくつかの実施形態では、フレキシブル帯域幅キャリア７１０−ａは、少なくとも、フレキシブル帯域幅キャリア７１０−ａの帯域幅が、あるスケーリングファクタの使用から、別のスケーリングファクタの使用に、いつ適応されるかに関する、モバイルデバイスへの時間またはタイミング期間を、モバイルデバイス１１５に送信することができる。モバイルデバイス１１５へのデータの送信は、タイミング期間中は控えられ、避けられ、かつ／またはスケジュールされなくてよい。この場合、モバイルデバイス１１５は、他の帯域幅キャリア７１０−ｂに移動される必要はなくてよい。
【００６８】
ここで図７Ｂに移ると、システム通信図７００−ｂは、様々な実施形態による、ネットワークエネルギー節約のための１つの可能手順を示す。モバイルデバイス１１５は、たとえば、ブロック７２５−ｂに示されるように、フレキシブル帯域幅キャリア７１０−ｂによりアイドルまたは接続モードにあってよい。フレキシブル帯域幅キャリア７１０−ｂは、たとえば、図１００に見られる基地局１０５および／またはコントローラ１２０に関連付けられ得る。ブロック７５５は、フレキシブル帯域幅キャリア７１０−ｂに関して、電源切断に変わるという決定が起こり得ることを反映している。この決定は基地局において行われ得るが、いくつかの状況において、モバイルデバイス、コントローラ、および／またはネットワークが、たとえば、図１に示すように、この決定を行うことができる。トリガされると、システムの１つまたは複数の態様が、電源切断を調整することができる。たとえば、無線ネットワークコントローラ（ＲＮＣ）などの無線アクセスネットワーク（ＲＡＮ）エンティティが、Ｎの変更を調整する。場合によっては、ＲＮＣは、たとえば、図１に示す基地局１０５の一部であり得る。別の帯域幅キャリア７２０−ｂが、フレキシブル帯域幅キャリア７１０によって、７３５−ａで通知を受けることができる。別の帯域幅キャリア７２０は、通常帯域幅キャリアであってもフレキシブル帯域幅キャリアであってもよい。
【００６９】
いくつかの実施形態は、モバイルデバイスにおける電源切断の影響を、様々なやり方で軽減することができる。たとえば、ブロードキャストチャネル（ＢＣＣＨ）修正情報が使用されてよい。システム通信図７００−ｂに示すように、１つまたは複数の他の帯域幅キャリアが、フレキシブル帯域幅キャリアについて電源切断が起こり得ることを、７３５−ａで通知され得る。場合によっては、電源切断に関するメッセージが、モバイルデバイスにブロードキャストされてよい。１つまたは複数のモバイルデバイス１１５は、ブロック７４０−ａに示すように、他の帯域幅キャリアのうち１つにハンドオーバされ、かつ／または再選択され得る。電源切断は、ブロック７６０に示すように実施され得る。モバイルデバイス１１５は、変更の後、ブロック７５０−ａに示すように戻され得る。場合によっては、システム情報が、変更後の他のセルへの再選択と、セルへの戻りとを容易にするように修正され得る。
【００７０】
いくつかの実施形態では、基地局は、ＲＡＮなどのネットワークデバイスから電源切断要求を受信し得る。基地局は、ブロック７６０に示すように、電源切断を実施することができる。場合によっては、モバイルデバイス１１５は、ブロック７５０−ａに示すように、帯域幅変更の後、フレキシブル帯域幅キャリアに移動され得る。フレキシブル帯域幅キャリア７１０−ｂを電源投入するという決定が、ブロック７６５に示すように行われ得る。起動信号が、フレキシブル帯域幅キャリアに７７０で送られ得る。フレキシブル帯域幅キャリアは、ブロック７７５に示すように電源投入してよい。
【００７１】
いくつかの実施形態は、ダウンリンクおよび／またはアップリンクキャリア帯域幅にフレキシブル帯域幅を適応させ、可変ダウンリンクおよび／またはアップリンクキャリア帯域幅を可能にすることを含み得る。いくつかのワイヤレスアプリケーションに対して、ダウンリンクおよびアップリンク向けのスループット要件は異なってよく、したがって、たとえば、トラフィック需要に基づいてダウンリンクおよび／またはアップリンク帯域幅を動的に変更することによって、スペクトルの効率的割振りが遂行され得る。より効率的配置のために、キャリア周波数チャネル番号も、帯域幅変更中に変更されてよい。いくつかの実施形態は、複数のフレキシブルアップリンクキャリアおよび／またはフレキシブルダウンリンクキャリアを使用することができる。異なるユーザが、ユーザの個々の必要に基づいて、異なるフレキシブルアップリンクキャリアおよび／またはフレキシブルダウンリンクキャリアに割り当てられ得る。さらに、異なるフレキシブルアップリンクキャリアが、異なるフレキシブルダウンリンクキャリアとクロス結合され得る。
【００７２】
図８Ａは、様々な実施形態による、フレキシブルダウンリンクキャリア８１０−ａとフレキシブルアップリンクキャリア８２０−ａとを含むキャリアシステム８００−ａを示す。フレキシブルダウンリンクキャリア８１０−ａおよびフレキシブルアップリンクキャリア８２０−ａは、同じスケーリングファクタＮ＝Ｓを使用することができる。フレキシブルダウンリンクキャリア８１０−ａはチャネル番号８１５−ａを使用することができ、フレキシブルアップリンクキャリア８２０−ａはチャネル番号８１５−ｂを使用することができる。図８Ｂは、様々な実施形態による、フレキシブルダウンリンクキャリア８１０−ｂとフレキシブルアップリンクキャリア８２０−ｂとを含むキャリアシステム８００−ｂを示す。フレキシブルダウンリンクキャリア８１０−ｂは、図８Ａのフレキシブルダウンリンクキャリア８１０−ａの適応形を表すことができ、ここでスケーリングファクタＮ＝Ｓは別のスケーリングファクタＮ＝Ｍに減少しており、Ｍ＜Ｓである。フレキシブルアップリンクキャリア８１０−ｂは、図８Ａのフレキシブルアップリンクキャリア８１０−ａの適応形を表すことができ、ここでスケーリングファクタＮ＝Ｓは別のスケーリングファクタＮ＝Ｔに増大しており、Ｔ＞Ｓである。いくつかの実施形態では、このスケーリングファクタは減少し得る。フレキシブルダウンリンクキャリア８１０−ａはチャネル番号８１５−ａを使用することができ、フレキシブルアップリンクキャリア８２０−ｂはチャネル番号８１５−ｂを使用することができ、これらは図８Ａに見られるのと同じチャネル番号である。図８Ｃは、キャリアシステム８００−ｃを示し、ここで、フレキシブルダウンリンクキャリア８１０−ｂおよびフレキシブルアップリンクキャリア８２０−ｂに関連付けられたチャネル番号８１５−ｃおよび８１５−ｄが変更され得る。チャネル番号のこの変更は、帯域幅チャネル中に起こり得る。図８Ｄは、キャリアシステム８００−ｄを示し、ここでフレキシブルダウンリンクキャリア８１０−ｄは、フレキシブルアップリンクキャリア８２０−ｅとクロス結合されてよく、同様に、フレキシブルアップリンクキャリア８２０−ｄは、フレキシブルダウンリンクキャリア８１０−ｅとクロス結合されてよい。
【００７３】
次に図９に移ると、ブロック図は、様々な実施形態による、フレキシブル帯域幅適応機能性を含むデバイス９００を示す。デバイス９００は、図１、図２、図３、図１１、および／または図１２の基地局１０５の態様の例であり得る。デバイス９００は、図１、図２、図３、図７、図１０、図１１、および／または図１２のモバイルデバイス１１５の態様の例であり得る。デバイス９００は、プロセッサである可能性もある。デバイス９００は、受信機モジュール９０５、スケーリングモジュール９１０、スケーリング調節モジュール９１５、および／または送信機モジュール９２０を含み得る。これらの構成要素の各々は互いに通信していることがある。
【００７４】
デバイス９００のこれらの構成要素は、個別にまたは集合的に、ハードウェア中の適用可能な機能の一部または全部を実施するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００７５】
受信機モジュール９０５は、デバイス９００が何を受信または送信したかに関する、パケット、データ、および／またはシグナリング情報などの情報を受信することができる。受信された情報は、スケーリングモジュール９１０および／またはスケーリング調節モジュール９１５によって、様々な目的に使用することができる。
【００７６】
スケーリングモジュール９１０は、第１のフレキシブル帯域幅キャリアの第１のスケーリングファクタを識別するように構成され得る。スケーリングモジュール９１０および／またはスケーリング調節モジュール９１５は、第２のスケーリングファクタを判断するように構成され得る。スケーリング調節モジュール９１５は、第１のフレキシブル帯域幅キャリアの帯域幅を、第１のスケーリングファクタの使用から、第２のスケーリングファクタの使用に適応させるように構成され得る。
【００７７】
いくつかの実施形態では、スケーリング調節モジュール９１５は、第１のフレキシブル帯域幅の帯域幅を、第１のスケーリングファクタの使用から、第２のスケーリングファクタの使用に適応させるように構成されてよく、この適応は、第１のフレキシブル帯域幅キャリアの帯域幅を増大させることを含み得る。第１のフレキシブル帯域幅の帯域幅を、第１のスケーリングファクタの使用から、第２のスケーリングファクタの使用に適応させることは、第１のフレキシブル帯域幅キャリアの帯域幅を減少させることを含み得る。
【００７８】
いくつかの実施形態では、デバイス９００は、そのモジュールのうちもう１つまたはより多くを使用して、第１のフレキシブル帯域幅キャリアにとどまるモバイルデバイスを別の帯域幅キャリアにハンドオーバしてから、第１のフレキシブル帯域幅キャリアの帯域幅を減少させるように構成され得る。モバイルデバイスは、第１のフレキシブル帯域幅キャリアの帯域幅を減少させた後、第１のフレキシブル帯域幅キャリアに返され得る。同様のアクションが、第１のフレキシブル帯域幅キャリアの帯域幅が増大された場合に実施され得る。
【００７９】
スケーリング調節モジュール９１５は、第１のダウンリンクフレキシブル帯域幅キャリアの帯域幅を、第１のスケーリングファクタの使用から、第２のスケーリングファクタとは異なる第３のスケーリングファクタの使用に適応させるように構成され得る。第１のフレキシブル帯域幅キャリアは第１のアップリンクフレキシブル帯域幅キャリアを含むことができ、第２のスケーリングファクタおよび第３のスケーリングファクタは、少なくとも第１のアップリンクフレキシブル帯域幅キャリアまたは第１のダウンリンクフレキシブル帯域幅キャリアについての１つまたは複数のトラフィックパターンに基づいて判断される。いくつかの実施形態は、第２のダウンリンクフレキシブル帯域幅キャリアの帯域幅を、第１のスケーリングファクタの使用から、第４のスケーリングファクタの使用に適応させること、および／または第２のアップリンクフレキシブル帯域幅キャリアの帯域幅を、第１のスケーリングファクタの使用から、第５のスケーリングファクタの使用に適応させることを含む。いくつかの実施形態は、少なくとも、第１のアップリンクフレキシブル帯域幅キャリアを第２のダウンリンクフレキシブルキャリアと、または第２のアップリンクフレキシブル帯域幅キャリアを第１のダウンリンクフレキシブル帯域幅キャリアと結合することを含む。いくつかの実施形態は、少なくとも１人のユーザの少なくとも要求事項または必要事項に基づいて、少なくとも第１のアップリンクフレキシブル帯域幅キャリア、第２のアップリンクフレキシブル帯域幅キャリア、第１のダウンリンクフレキシブル帯域幅キャリア、または第２のダウンリンクフレキシブル帯域幅キャリアに、少なくとも１人のユーザを割り当てることを含む。いくつかの実施形態は、少なくとも第１のアップリンクフレキシブル帯域幅キャリア用の第１の中心周波数または第１のダウンリンクフレキシブル帯域幅キャリア用の第２の中心周波数を変更することを含む。
【００８０】
送信機モジュール９２０は、第２のスケーリングファクタをモバイルデバイスに送信するように、および／または少なくとも、第１のフレキシブル帯域幅キャリアの帯域幅が、第１のスケーリングファクタの使用から第２のスケーリングファクタの使用にいつ適応されるかに関する時間もしくはタイミング期間を、モバイルデバイスに送信するように構成され得る。モバイルデバイスへのデータの送信は、タイミング期間中は控えられ、避けられ、かつ／またはスケジュールされなくてよい。
【００８１】
いくつかの実施形態では、第１のフレキシブル帯域幅キャリアの帯域幅を増大させると、第１のフレキシブル帯域幅キャリアの容量が増える。いくつかの実施形態では、第１のフレキシブル帯域幅キャリアの帯域幅を減少させることは、少なくとも、１つもしくは複数のセルとの干渉を削減すること、帯域内干渉を削減すること、またはエネルギーを節約することを備える。
【００８２】
図１０は、様々な実施形態による、フレキシブル帯域幅の使用を容易にするように構成されたモバイルデバイス１１５−ｅのブロック図１０００である。モバイルデバイス１１５−ｅは、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネットアプライアンス、ゲームコンソール、電子リーダーなどのような、様々な構成のいずれかを有し得る。モバイルデバイス１１５−ｅは、モバイル動作を支援するために、小さなバッテリーのような内部電源（図示せず）を有し得る。いくつかの実施形態では、モバイルデバイス１１５−ｅは、図１、図２、図３、図７、図１０、図１１、および／または図１２のモバイルデバイス１１５、ならびに／あるいは図９のデバイス９００であってよい。モバイルデバイス１１５−ｅはマルチモードモバイルデバイスであり得る。モバイルデバイス１１５−ｅは、場合によってはワイヤレス通信デバイスと呼ばれ得る。
【００８３】
モバイルデバイス１１５−ｅは、アンテナ１０４０と、送受信機モジュール１０５０と、メモリ１０８０と、プロセッサモジュール１０７０とを含むことができ、その各々は、（たとえば、１つまたは複数のバスを介して）互いに、直接または間接的に通信していてよい。送受信機モジュール１０５０は、上記で説明したように、アンテナ１０４０および／または１つもしくは複数のワイヤードもしくはワイヤレスリンクを介して、１つまたは複数のネットワークと双方向に通信するように構成される。たとえば、送受信機モジュール１０５０は、図１、図２、図３、図１１、および／または図１２の基地極１０５と双方向に通信するように構成され得る。送受信機モジュール１０５０は、パケットを変調し、変調されたパケットを送信のためにアンテナ１０４０に供給し、アンテナ１０４０から受信されたパケットを復調するように構成されたモデムを含み得る。モバイルデバイス１１５−ｅは単一のアンテナを含み得るが、モバイルデバイス１１５−ｅは通常、複数のリンクのための複数のアンテナ１０４０を含む。
【００８４】
メモリ１０８０は、ランダムアクセスメモリ（ＲＡＭ）と読取り専用メモリ（ＲＯＭ）とを含み得る。メモリ１０８０は、実行されるとプロセッサモジュール１０７０に本明細書で説明する様々な機能（たとえば、呼処理、データベース管理、メッセージルーティングなど）を実施させるように構成された命令を含んでいるコンピュータ可読、コンピュータ実行可能ソフトウェアコード１０８５を記憶し得る。代替的に、ソフトウェア１０８５は、プロセッサモジュール１０７０によって直接的に実行可能でないことがあるが、（たとえば、コンパイルされ実行されると）コンピュータに本明細書で説明する機能を実施させるように構成され得る。
【００８５】
プロセッサモジュール１０７０は、たとえば、Ｉｎｔｅｌ（登録商標）ＣｏｒｐｏｒａｔｉｏｎまたはＡＭＤ（登録商標）製のものなどの中央演算処理装置（ＣＰＵ）、マイクロコントローラ、特定用途向け集積回路（ＡＳＩＣ）などのインテリジェントハードウェアデバイスを含み得る。プロセッサモジュール１０７０は、マイクロフォンを介してオーディオを受信し、そのオーディオを、受信したオーディオを表す（たとえば、長さ３０ｍｓの）パケットに変換し、そのオーディオパケットを送受信機モジュール１０５０に供給し、ユーザが話しているかどうかの指示を与えるように構成された音声エンコーダ（図示せず）を含み得る。代替的に、エンコーダはパケットのみを送受信機モジュール１０５０に供給し、パケット自体の供給または抑制／抑圧が、ユーザが話しているかどうかの指示を与え得る。
【００８６】
図１０のアーキテクチャによれば、モバイルデバイス１１５−ｅは通信管理モジュール１０６０をさらに含み得る。通信管理モジュール１０６０は、他のモバイルデバイス１１５との通信を管理し得る。例として、通信管理モジュール１０６０は、バスを介してモバイルデバイス１１５−ａの他の構成要素の一部またはすべてと通信しているモバイルデバイス１１５−ｅの構成要素であり得る。代替的に、通信管理モジュール１０６０の機能は、送受信機モジュール１０５０の構成要素として、コンピュータプログラム製品として、および／またはプロセッサモジュール１０７０の１つまたは複数のコントローラ要素として実装され得る。
【００８７】
モバイルデバイス１１５−ｅのための構成要素は、図９のデバイス９００に関して上記で説明した態様を実装するように構成され得、簡潔のためにここで繰り返さないことがある。スケーリングモジュール９１０−ａは、図９のスケーリングモジュール９１０の一例であり得る。スケーリング調節モジュール９１５−ａは、図９のスケーリング調節モジュール９１５の一例であり得る。
【００８８】
モバイルデバイス１１５−ｅは、スペクトル識別モジュール１０１５も含み得る。スペクトル識別モジュール１０１５は、フレキシブル波形にとって利用可能なスペクトルを識別するのに使用することができる。いくつかの実施形態では、ハンドオーバモジュール１０２５が、ある基地局から別の基地局へのモバイルデバイス１１５のハンドオーバ手順を実施するのに使用され得る。たとえば、ハンドオーバモジュール１０２５は、ある基地局から別の基地局へのモバイルデバイス１１５−ｅのハンドオーバ手順を実施することができ、ここで、モバイルデバイス１１５−ｅと基地局のうち１つとの間では通常波形が使用され、モバイルデバイスと別の基地局との間ではフレキシブル波形が使用される。スケーリングモジュール９１０−ａは、フレキシブル波形を生成するようにチップレートをスケーリングし、かつ／または変えるのに使用することができる。
【００８９】
いくつかの実施形態では、アンテナ１０４０と連結された送受信機モジュール１０５０は、モバイルデバイス１１５−ｅの他の可能構成要素とともに、フレキシブル波形および／またはスケーリングファクタに関する情報を、モバイルデバイス１１５−ｅから基地局またはコアネットワークに送信することができる。いくつかの実施形態では、アンテナ１０４０と連結された送受信機モジュール１０５０は、モバイルデバイス１１５−ｅの他の可能構成要素とともに、基地局またはコアネットワークに、これらのデバイスまたはシステムがフレキシブル波形を使用することができるように、情報、そのようなフレキシブル波形および／またはスケーリングファクタを送信することができる。
【００９０】
図１１は、様々な実施形態による、フレキシブル波形を使用するために構成され得る通信システム１１００のブロック図を示す。このシステム１１００は、図１に示されるシステム１００、図２のシステム２００、図３のシステム３００および／または図１２のシステム１２００の態様の一例であり得る。基地局１０５−ｄは、アンテナ１１４５と、送受信機モジュール１１５０と、メモリ１１７０と、プロセッサモジュール１１６５とを含み得、その各々は、（たとえば、１つまたは複数のバスを介して）互いに直接または間接的に通信していることがある。送受信機モジュール１１５０は、アンテナ１１４５を介して、マルチモードモバイルデバイスであり得るモバイルデバイス１１５−ｆと双方向に通信するように構成され得る。トランシーバモジュール１１５０（および／または基地局１０５−ｄの他の構成要素）はまた、１つまたは複数のネットワークと双方向に通信するように構成され得る。場合によっては、基地局１０５−ｄは、ネットワーク通信モジュール１１７５を通してネットワーク１３０−ａおよび／またはコントローラ１２０−ａと通信し得る。基地局１０５−ｄは、ｅノードＢ基地局、ホームｅノードＢ基地局、ノードＢ基地局、および／またはホームノードＢ基地局の一例であり得る。コントローラ１２０−ａは、基地局１０５−ｄに、場合によっては、たとえばｅノードＢ基地局と統合されてよい。
【００９１】
基地局１０５−ｄは、基地局１０５−ｍおよび基地局１０５−ｎなど、他の基地局１０５と通信することもできる。基地局１０５の各々は、異なる無線アクセス技術など、異なるワイヤレス通信技術を使って、モバイルデバイス１１５−ｆと通信することができる。場合によっては、基地局１０５−ｄは、基地局通信モジュール１１２０を使用して、１０５−ｍおよび／または１０５−ｎなど、他の基地局と通信することができる。いくつかの実施形態では、基地局通信モジュール１１２０は、基地局１０５のうちいくつかの間での通信を提供するための、ＬＴＥワイヤレス通信技術におけるＸ２インターフェースを提供することができる。いくつかの実施形態では、基地局１０５−ｄは、コントローラ１２０−ａおよび／またはネットワーク１３０−ａを通して、他の基地局と通信することができる。
【００９２】
メモリ１１７０は、ランダムアクセスメモリ（ＲＡＭ）と読取り専用メモリ（ＲＯＭ）とを含み得る。メモリ１１７０は、実行されるとプロセッサモジュール１１６５に本明細書で説明する様々な機能（たとえば、呼処理、データベース管理、メッセージルーティングなど）を実施させるように構成された命令を含んでいるコンピュータ可読、コンピュータ実行可能ソフトウェアコード１１７１も記憶し得る。代替的に、ソフトウェア１１７１は、プロセッサモジュール１１６５によって直接的に実行可能でないことがあるが、たとえば、コンパイルされ実行されると、コンピュータに本明細書で説明する機能を実施させるように構成され得る。
【００９３】
プロセッサモジュール１１６５は、たとえば、Ｉｎｔｅｌ（登録商標）ＣｏｒｐｏｒａｔｉｏｎまたはＡＭＤ（登録商標）製のものなどの中央演算処理装置（ＣＰＵ）、マイクロコントローラ、特定用途向け集積回路（ＡＳＩＣ）などのインテリジェントハードウェアデバイスを含み得る。プロセッサモジュール１１６５は、マイクロフォンを介してオーディオを受信し、そのオーディオを、受信したオーディオを表す（たとえば、長さ３０ｍｓの）パケットに変換し、そのオーディオパケットを送受信機モジュール１１５０に供給し、ユーザが話しているかどうかの指示を与えるように構成された音声エンコーダ（図示せず）を含み得る。代替的に、エンコーダはパケットのみを送受信機モジュール１１５０に供給し、パケット自体の供給または抑制／抑圧が、ユーザが話しているかどうかの指示を与え得る。
【００９４】
送受信機モジュール１１５０は、パケットを変調し、変調されたパケットを送信のためにアンテナ１１４５に供給し、アンテナ１１４５から受信されたパケットを復調するように構成されたモデムを含み得る。基地局１０５−ｄのいくつかの例は単一のアンテナ１１４５を含み得るが、基地局１０５−ｄは、好ましくは、キャリアアグリゲーションをサポートし得る複数のリンクのための複数のアンテナ１１４５を含む。たとえば、モバイルデバイス１１５−ｆとのマクロ通信をサポートするために１つまたは複数のリンクが使用され得る。
【００９５】
図１１のアーキテクチャによれば、基地局１０５−ｄは通信管理モジュール１１３０をさらに含み得る。通信管理モジュール１１３０は、他の基地局１０５との通信を管理し得る。例として、通信管理モジュール１１３０は、バスを介して基地局１０５−ｄの他の構成要素の一部またはすべてと通信している基地局１０５−ｄの構成要素であり得る。代替的に、通信管理モジュール１１３０の機能は、送受信機モジュール１１５０の構成要素として、コンピュータプログラム製品として、および／またはプロセッサモジュール１１６５の１つまたは複数のコントローラ要素として実装され得る。
【００９６】
基地局１０５−ｄのための構成要素は、図９のデバイス９００に関して上記で説明した態様を実装するように構成され得、簡潔のためにここで繰り返さないことがある。スケーリングモジュール９１０−ｂは、図９のスケーリングモジュール９１０の一例であり得る。スケーリング調節モジュール９１５−ｂは、図９のスケーリング調節モジュール９１５の一例であり得る。
【００９７】
基地局１０５−ｄは、スペクトル識別モジュール１１１５も含み得る。スペクトル識別モジュール１１１５は、フレキシブル波形にとって利用可能なスペクトルを識別するのに使用することができる。いくつかの実施形態では、ハンドオーバモジュール１１２５が、ある基地局１０５から別の基地局へのモバイルデバイス１１５−ｆのハンドオーバ手順を実施するのに使用され得る。たとえば、ハンドオーバモジュール１１２５は、ある基地局１０５−ｄから別の基地局へのモバイルデバイス１１５−ｆのハンドオーバ手順を実施することができ、ここで、モバイルデバイス１１５−ｆと基地局のうち１つとの間では通常波形が使用され、モバイルデバイスと別の基地局との間ではフレキシブル波形が使用される。スケーリングモジュール９１０−ｂは、フレキシブル波形を生成するようにチップレートをスケーリングし、かつ／または変えるのに使用することができる。
【００９８】
いくつかの実施形態では、アンテナ１１４５と連結された送受信機モジュール１１５０は、基地局１０５−ｄの他の可能構成要素とともに、フレキシブル波形および／またはスケーリングファクタに関する情報を、基地局１０５−ｄからモバイルデバイス１１５−ｆに、他の基地局１０５−ｍ／１０５−ｎ、またはコアネットワーク１３０−ａに送信することができる。いくつかの実施形態では、アンテナ１１４５と連結された送受信機モジュール１１５０は、基地局１０５−ｄの他の可能構成要素とともに、フレキシブル波形および／またはスケーリングファクタなどの情報を、モバイルデバイス１１５−ｆに、他の基地局１０５−ｍ／１０５−ｎ、またはコアネットワーク１３０−ａに、これらのデバイスまたはシステムがフレキシブル波形を使用することができるように送信することができる。
【００９９】
図１２は、様々な実施形態による、基地局１０５−ｅとモバイルデバイス１１５−ｇとを含むシステム１２００のブロック図である。このシステム１２００は、図１のシステム１００、図２のシステム２００、図３のシステム３００および／または図１１のシステム１１００の一例であり得る。基地局１０５−ｅはアンテナ１２３４−ａ〜１２３４−ｘを装備することができ、モバイルデバイス１１５−ｇはアンテナ１２５２−ａ〜１２５２−ｎを装備することができる。基地局１０５−ｅにおいて、送信プロセッサ１２２０がデータソースからデータを受信し得る。
【０１００】
送信プロセッサ１２２０はデータを処理することができる。送信プロセッサ１２２０はまた、基準シンボルとセル固有基準信号とを生成し得る。送信（ＴＸ）ＭＩＭＯプロセッサ１２３０が、適用可能な場合、データシンボル、制御シンボル、および／または基準シンボルに対して空間処理（たとえば、プリコーディング）を実施することができ、出力シンボルストリームを送信変調器１２３２−ａ〜１２３２−ｘに与え得る。各変調器１２３２は、（たとえば、ＯＦＤＭなどの）それぞれの出力シンボルストリームを処理して、出力サンプルストリームを得ることができる。各変調器１２３２はさらに、出力サンプルストリームを処理（たとえば、アナログへの変換、増幅、フィルタ処理、およびアップコンバート）して、ダウンリンク（ＤＬ）信号を取得し得る。一例では、変調器１２３２−ａ〜１２３２−ｘからのＤＬ信号は、それぞれアンテナ１２３４−ａ〜１２３４−ｘを介して送信され得る。送信プロセッサ１２２０は、プロセッサ１２４０から情報を受信し得る。プロセッサ１２４０はメモリ１２４２と結合され得る。プロセッサ１２４０は、チップレートを変え、かつ／またはスケーリングファクタを使用することにより、フレキシブル波形を生成するように構成され得る。いくつかの実施形態では、プロセッサモジュール１２４０は、様々な実施形態によると、フレキシブル帯域幅を動的に適応させるために構成され得る。プロセッサ１２４０は、基地局１０５−ｅとモバイルデバイス１１５−ｇとの間の送信に関連付けられたフレキシブル帯域幅信号の１つまたは複数のスケーリングファクタを動的に調整することができる。これらの調節は、たとえばトラフィックパターン、干渉測定値などの情報に基づいて行われ得る。
【０１０１】
たとえば、システム１２００内で、プロセッサ１２４０は、フレキシブル帯域幅信号のスケーリングファクタを動的に低下させることにより、フレキシブル帯域幅信号の帯域幅を増大させることができる。フレキシブル帯域幅信号の帯域幅の増大は、キャリアのネットワーク容量を増やすのに使用され得る。プロセッサ１２４０は、フレキシブルシステムのスケーリングファクタを動的に増大させることにより、フレキシブル帯域幅信号の帯域幅を減少させることができる。これは、他のセルに対する干渉の削減および／または帯域内干渉の削減などの目的を達成するのに使用することができる。いくつかの実施形態では、フレキシブル帯域幅キャリアは、システム１２００内でエネルギーを節約するのに使用することができる。たとえば、オーバーレイフレキシブル帯域幅キャリアは、そのトラフィックが低いときは、その帯域幅を削減してよく、またはオフになってもよく、次いで、近接セルにおいてトラフィックが増加したときはオンに戻ってよい。フレキシブル帯域幅キャリアがその帯域幅を削減し、または電源切断する前に、基地局１０５−ｅに関連付けられたフレキシブル帯域幅キャリアにとどまるモバイルデバイス１１５−ｇは、アンダーレイフレキシブルまたは通常帯域幅キャリアに移動されてよい。アンダーレイキャリアおよびオーバーレイキャリアは、コロケートであっても、非コロケートであってもよい。場合によっては、オーバーレイフレキシブル帯域幅キャリアがその帯域幅を変更し、または電源切断される間にどのデータも送信用にスケジュールされなくてよい間、モバイルデバイス１１５−ｇは、オーバーレイフレキシブル帯域幅キャリアに留まってよい。
【０１０２】
いくつかの実施形態では、基地局１０５−ｅおよび／またはモバイルデバイス１１５−ｇに関連付けられたフレキシブル帯域幅キャリアのアップリンクおよびダウンリンク帯域幅は、プロセッサ１２４０によって一緒にまたは個別に動的に調節され得る。システム１２００内のトラフィックパターンなどの情報は、フレキシブル帯域幅キャリアのアップリンクおよび／またはダウンリンク帯域幅をどのようにして動的に調節するか判断するのに使用することができる。場合によっては、アップリンクキャリア帯域幅が増大され、または一定に保たれる間、ダウンリンクキャリア帯域幅の帯域幅はプロセッサ１２４０によって減少され得る。チャネル番号も、アップリンクおよび／またはダウンリンク帯域幅キャリア用の中心周波数が動的に変更され得るように、プロセッサ１２４０によって動的に変更され得る。
【０１０３】
モバイルデバイス１１５−ｇにおいて、モバイルデバイスアンテナアンテナ１２５２−ａ〜１２５２−ｎは、基地局１０５−ｅからＤＬ信号を受信し、受信した信号をそれぞれ復調器１２５４−ａ〜１２５４−ｎに与え得る。各復調器１２５４は、それぞれの受信信号を調整（たとえば、フィルタ処理、増幅、ダウンコンバート、およびデジタル化）して、入力サンプルを取得し得る。各復調器１２５４は、さらに、（たとえば、ＯＦＤＭなどの）入力サンプルを処理して、受信シンボルを得ることができる。ＭＩＭＯ検出器１２５６は、すべての復調器１２５４−ａ〜１２５４−ｎから受信シンボルを取得し、適用可能な場合は受信シンボルに対してＭＩＭＯ検出を実施し、検出シンボルを与え得る。受信プロセッサ１２５８が、検出シンボルを処理（たとえば、復調、デインターリーブ、および復号）し、モバイルデバイス１１５−ｇの復号されたデータをデータ出力に与え、復号された制御情報をプロセッサ１２８０、またはメモリ１２８２に与え得る。
【０１０４】
アップリンク（ＵＬ）または逆リンク上で、モバイルデバイス１１５−ｇにおいて、送信プロセッサ１２６４がデータソースからデータを受信し、処理し得る。送信機プロセッサ１２６４はまた、基準信号のための基準シンボルを生成し得る。送信プロセッサ１２６４からのシンボルは、送信ＭＩＭＯプロセッサ１２６６によってプリコードされ、当てはまる場合は、復調器１２５４−ａ〜１２５４−ｎによって（たとえば、ＳＣ−ＦＤＭＡなど用に）さらに処理され、基地局１０５−ｅから受信された送信パラメータに従って基地局１０５−ｅに送信され得る。送信プロセッサ１２６４は、チップレートを変え、かつ／またはスケーリングファクタを使用することにより、フレキシブル波形を生成するように構成されてもよく、この生成は、場合によっては動的に行われ得る。送信プロセッサ１２６４は、プロセッサ１２８０から情報を受信し得る。プロセッサ１２８０は、異なる整列および／またはオフセット手順を可能にし得る。プロセッサ１２８０は、スケーリングおよび／またはチップレート情報を使用して、他のサブシステムにおいて測定を実施し、他のサブシステムへのハンドオフを実施し、再選択を実施することなどができる。プロセッサ１２８０は、パラメータスケーリングを通したフレキシブル帯域幅の使用に関連付けられたタイムストレッチの効果を反転させることができる。基地局１０５−ｅにおいて、モバイルデバイス１１５−ｇからのＵＬ信号は、アンテナ１２３４によって受信され、復調器１２３２によって処理され、適用可能な場合はＭＩＭＯ検出器１２３６によって検出され、さらに受信プロセッサによって処理され得る。受信プロセッサ１２３８は、復号されたデータをデータ出力とプロセッサ１２８０とに与え得る。いくつかの実施形態では、プロセッサ１２８０は、汎用プロセッサ、送信プロセッサ１２６４、および／または受信機プロセッサ１２５８の一部として実装され得る。
【０１０５】
いくつかの実施形態では、プロセッサモジュール１２８０は、様々な実施形態によると、フレキシブル帯域幅を動的に適応させるために構成され得る。プロセッサ１２８０は、基地局１０５−ｅとモバイルデバイス１１５−ｇとの間の送信に関連付けられたフレキシブル帯域幅信号の１つまたは複数のスケーリングファクタを動的に調整することができる。これらの調節は、たとえばトラフィックパターン、干渉測定値などの情報に基づいて行われ得る。
【０１０６】
たとえば、システム１２００内で、プロセッサ１２８０は、フレキシブル帯域幅信号のスケーリングファクタを動的に低下させることにより、フレキシブル帯域幅信号の帯域幅を増大させることができる。フレキシブル帯域幅信号の帯域幅の増大は、キャリアのネットワーク容量を増やすのに使用され得る。プロセッサ１２８０は、フレキシブルシステムのスケーリングファクタを動的に増大させることにより、フレキシブル帯域幅信号の帯域幅を減少させることができる。これは、他のセルに対する干渉の削減および／または帯域内干渉の削減などの目的を達成するのに使用することができる。いくつかの実施形態では、フレキシブル帯域幅キャリアは、システム１２００内でエネルギーを節約するのに使用することができる。たとえば、オーバーレイフレキシブル帯域幅キャリアは、そのトラフィックが低いときは、その帯域幅を削減してよく、またはオフになってもよく、次いで、近接セルにおいてトラフィックが増加したときはオンに戻ってよい。フレキシブル帯域幅キャリアがその帯域幅を削減し、または電源切断する前に、基地局１０５−ｅに関連付けられたフレキシブル帯域幅キャリアにとどまるモバイルデバイス１１５−ｇは、アンダーレイフレキシブルまたは通常帯域幅キャリアに移動されてよい。アンダーレイキャリアおよびオーバーレイキャリアは、コロケートであっても、非コロケートであってもよい。場合によっては、オーバーレイフレキシブル帯域幅キャリアがその帯域幅を変更し、または電源切断される間にどのデータも送信用にスケジュールされなくてよい間、モバイルデバイス１１５−ｇは、オーバーレイフレキシブル帯域幅キャリアに留まってよい。
【０１０７】
いくつかの実施形態では、基地局１０５−ｅおよび／またはモバイルデバイス１１５−ｇに関連付けられたフレキシブル帯域幅キャリアのアップリンクおよびダウンリンク帯域幅は、プロセッサ１２８０によって一緒にまたは個別に動的に調節され得る。システム１２００内のトラフィックパターンなどの情報は、フレキシブル帯域幅キャリアのアップリンクおよび／またはダウンリンク帯域幅をどのようにして動的に調節するか判断するのに使用することができる。場合によっては、アップリンクキャリア帯域幅が増大され、または一定に保たれる間、ダウンリンクキャリア帯域幅の帯域幅はプロセッサ１２８０によって減少され得る。チャネル番号も、アップリンクおよび／またはダウンリンク帯域幅キャリア用の中心周波数が動的に変更され得るように、プロセッサ１２８０によって動的に変更され得る。
【０１０８】
図１３Ａに移ると、様々な実施形態による、ワイヤレス通信システム内のフレキシブル帯域幅を動的に適応させるための方法１３００−ａのフローチャート。方法１３００−ａは、図１、図２、図３、図７、図１０、図１１、および／または図１２において見られるモバイルデバイス１１５、図１、図２、図３、図１１、および／または図１２に見られる基地局１０５、図１および／または図１１に見られるコアネットワーク１３０またはコントローラ１２０、ならびに／あるいは図９のデバイス９００を含むが、それらに限定されない様々なワイヤレス通信デバイスおよび／またはシステムを使用して実装され得る。
【０１０９】
ブロック１３０５で、第１のフレキシブル帯域幅キャリアの第１のスケーリングファクタが識別され得る。ブロック１３１０で、第２のスケーリングファクタが判断され得る。ブロック１３１５で、第１のフレキシブル帯域幅キャリアの帯域幅が、第１のスケーリングファクタの使用から第２のスケーリングファクタの使用に適応され得る。
【０１１０】
方法１３００−ａのいくつかの実施形態では、第１のフレキシブル帯域幅の帯域幅を、第１のスケーリングファクタの使用から、第２のスケーリングファクタの使用に適応させることは、第１のフレキシブル帯域幅キャリアの帯域幅を増大させることを含む。第１のフレキシブル帯域幅の帯域幅を、第１のスケーリングファクタの使用から、第２のスケーリングファクタの使用に適応させることは、第１のフレキシブル帯域幅キャリアの帯域幅を減少させることを含み得る。
【０１１１】
方法１３００−ａのいくつかの実施形態は、第１のフレキシブル帯域幅キャリアにとどまるモバイルデバイスを別の帯域幅キャリアにハンドオーバしてから、第１のフレキシブル帯域幅キャリアの帯域幅を減少させることを含む。モバイルデバイスは、第１のフレキシブル帯域幅キャリアの帯域幅を減少させた後、第１のフレキシブル帯域幅キャリアに返され得る。同様のアクションが、第１のフレキシブル帯域幅キャリアの帯域幅が増大された場合に実施され得る。
【０１１２】
方法１３００−ａのいくつかの実施形態は、第１のダウンリンクフレキシブル帯域幅キャリアの帯域幅を、第１のスケーリングファクタの使用から、第２のスケーリングファクタとは異なる第３のスケーリングファクタの使用に適応させることを含む。第１のフレキシブル帯域幅キャリアは第１のアップリンクフレキシブル帯域幅キャリアを含むことができ、第２のスケーリングファクタおよび第３のスケーリングファクタは、少なくとも第１のアップリンクフレキシブル帯域幅キャリアまたは第１のダウンリンクフレキシブル帯域幅キャリアについての１つまたは複数のトラフィックパターンに基づいて判断される。いくつかの実施形態は、第２のダウンリンクフレキシブル帯域幅キャリアの帯域幅を、第１のスケーリングファクタの使用から、第４のスケーリングファクタの使用に適応させること、および／または第２のアップリンクフレキシブル帯域幅キャリアの帯域幅を、第１のスケーリングファクタの使用から、第５のスケーリングファクタの使用に適応させることを含む。いくつかの実施形態は、少なくとも、第１のアップリンクフレキシブル帯域幅キャリアを第２のダウンリンクフレキシブルキャリアと、または第２のアップリンクフレキシブル帯域幅キャリアを第１のダウンリンクフレキシブル帯域幅キャリアと結合することを含む。いくつかの実施形態は、少なくとも１人のユーザの少なくとも要求事項または必要事項に基づいて、少なくとも第１のアップリンクフレキシブル帯域幅キャリア、第２のアップリンクフレキシブル帯域幅キャリア、第１のダウンリンクフレキシブル帯域幅キャリア、または第２のダウンリンクフレキシブル帯域幅キャリアに、少なくとも１人のユーザを割り当てることを含む。いくつかの実施形態は、少なくとも第１のアップリンクフレキシブル帯域幅キャリア用の第１の中心周波数または第１のダウンリンクフレキシブル帯域幅キャリア用の第２の中心周波数を変更することを含む。
【０１１３】
方法１３００−ａは、第２のスケーリングファクタをモバイルデバイスに送信すること、および／または少なくとも、第１のフレキシブル帯域幅キャリアの帯域幅が、第１のスケーリングファクタの使用から第２のスケーリングファクタの使用にいつ適応されるかに関する時間もしくはタイミング期間を、モバイルデバイスに送信することを含み得る。モバイルデバイスへのデータの送信は、タイミング期間中は控えられ、避けられ、かつ／またはスケジュールされなくてよい。
【０１１４】
いくつかの実施形態では、第１のフレキシブル帯域幅キャリアの帯域幅を増大させると、第１のフレキシブル帯域幅キャリアの容量が増える。いくつかの実施形態では、第１のフレキシブル帯域幅キャリアの帯域幅を減少させることは、少なくとも、１つもしくは複数のセルとの干渉を削減すること、帯域内干渉を削減すること、またはエネルギーを節約することを備える。
【０１１５】
図１３Ｂに移ると、様々な実施形態による、ワイヤレス通信システム内のフレキシブル帯域幅を動的に適応させるための方法１３００−ｂのフローチャート。方法１３００−ｂは、図１、図２、図３、図７、図１０、図１１、および／または図１２において見られるモバイルデバイス１１５、図１、図２、図３、図１１、および／または図１２に見られる基地局１０５、図１および／または図１１に見られるコアネットワーク１３０またはコントローラ１２０、ならびに／あるいは図９のデバイス９００を含むが、それらに限定されない様々なワイヤレス通信デバイスおよび／またはシステムを使用して実装され得る。方法１３００−ｂは、図１３Ａの方法１３００−ａの一例であり得る。
【０１１６】
ブロック１３２０で、フレキシブル帯域幅キャリア用のスケーリングファクタ変更の必要を反映するためのトリガが起こり得る。トリガは、たとえば、容量、干渉、および／または省エネルギー基準に基づき得る。ブロック１３１０−ａで、スケーリングファクタの変更が判断されてよく、適切なスケーリングファクタが判断されてよい。ブロック１３２５で、接続モードモバイルデバイスが他のセルに移動されてよいことが推定および／または保証され得る。ブロック１３３０で、他の近接セルが、セル用の帯域幅の変更に関して、および／またはモバイルデバイスが近接セルに移動され得ることを通知され得る。ブロック１３３５で、１つまたは複数のモバイルデバイスが、その帯域幅を調節させることができるセルから、他のセルに移動され得る。ブロック１３１５−ａで、帯域幅変更が行われてよく、たとえば、フレキシブル帯域幅キャリアの帯域幅は、第１のスケーリングファクタの使用から、第２のスケーリングファクタであってよい適切なスケーリングファクタの使用に適応され得る。ブロック１３４０で、１つまたは複数のモバイルデバイスが、フレキシブル帯域幅セルまたはフレキシブル帯域幅キャリアに戻され得る。
【０１１７】
添付の図面に関して上に記載された詳細な説明は、例示的な実施形態について説明しており、実装され得るまたは特許請求の範囲内に入る実施形態のみを表すものではない。この説明全体にわたって使用される「例示的」という用語は、「例、事例、または例示の働きをすること」を意味し、「好ましい」または「他の実施形態よりも有利な」を意味しない。詳細な説明は、説明される技法の理解を与えるために、具体的な詳細を含む。ただし、これらの技法は、これらの具体的な詳細なしに実施され得る。場合によっては、説明した実施形態の概念を不明瞭にしないように、よく知られている構造およびデバイスがブロック図の形態で示される。
【０１１８】
情報および信号は、様々な異なる技術および技法のうちのいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表すことができ得る。
【０１１９】
本明細書の開示に関連して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタロジック、個別ハードウェア構成要素、または本明細書で説明された機能を実施するように設計されたそれらの任意の組合せによって、実装または実施され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１２０】
本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣ、またはＡＢまたはＡＣまたはＢＣまたはＡＢＣ（すなわち、ＡおよびＢおよびＣ）を意味するような選言的列挙を示す。
【０１２１】
コンピュータ可読媒体は、ある場所から別の場所へのコンピュータプログラムの転送を支援する任意の媒体を含む、コンピュータ記憶媒体とコンピュータ通信媒体の両方を含む。記憶媒体は、汎用または特殊目的コンピュータによってアクセスできる任意の利用可能な媒体とすることができる。限定ではなく例として、コンピュータ可読媒体は、ＲＡＭ、ＲＯＭ、ＥＥＰＲＯＭ（登録商標）、ＣＤ−ＲＯＭ、あるいは他の光ディスクストレージ、磁気ディスクストレージまたは他の磁気ストレージデバイス、あるいは命令またはデータ構造の形態の所望のプログラムコード手段を搬送または記憶するために使用でき、汎用または専用コンピュータあるいは汎用または専用プロセッサによってアクセスできる、任意の他の媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれる。
【０１２２】
本開示の前述の説明は、当業者が本開示を作成または使用することができるように提供されたものである。本開示への様々な修正は当業者には容易に明らかであり、本明細書で定義した一般原理は、本開示の趣旨または範囲から逸脱することなく他の変形形態に適用できる。本開示全体にわたって、「例」または「例示的」という用語は、一例または一事例を示すものであり、言及した例についての選好を暗示せず、または必要としない。したがって、本開示は、本明細書で説明する例および設計に限定されるべきでなく、本明細書で開示する原理および新規の特徴に合致する最も広い範囲を与えられるべきである。
以下に、本願出願の当初の特許請求の範囲に記載された発明を付記する。
［Ｃ１］
ワイヤレス通信システムにおいてフレキシブル帯域幅を動的に適応させる方法であって、
第１のフレキシブル帯域幅キャリアの第１のスケーリングファクタを識別することと、
第２のスケーリングファクタを判断することと、
前記第１のフレキシブル帯域幅キャリアの帯域幅を、前記第１のスケーリングファクタの使用から前記第２のスケーリングファクタの使用に適応させることと
を備える方法。
［Ｃ２］
前記第１のフレキシブル帯域幅の前記帯域幅を、前記第１のスケーリングファクタの使用から前記第２のスケーリングファクタの使用に適応させることは、
前記第１のフレキシブル帯域幅キャリアの前記帯域幅を増大させることを備える、
［Ｃ１］に記載の方法。
［Ｃ３］
前記第１のフレキシブル帯域幅キャリアの前記帯域幅を増大させることは、前記第１のフレキシブル帯域幅キャリアの容量を増やす、
［Ｃ２］に記載の方法。
［Ｃ４］
前記第１のフレキシブル帯域幅の前記帯域幅を、前記第１のスケーリングファクタの使用から前記第２のスケーリングファクタの使用に適応させることは、
前記第１のフレキシブル帯域幅キャリアの前記帯域幅を減少させることを備える、
［Ｃ１］に記載の方法。
［Ｃ５］
前記第１のフレキシブル帯域幅キャリアの前記帯域幅を減少させることは、少なくとも、１つもしくは複数のセルとの干渉を削減すること、帯域内干渉を削減すること、またはエネルギーを節約することを備える、
［Ｃ４］に記載の方法。
［Ｃ６］
前記第１のフレキシブル帯域幅キャリアの前記帯域幅を減少させる前に、前記第１のフレキシブル帯域幅キャリアにとどまるモバイルデバイスを別の帯域幅キャリアにハンドオーバすることをさらに備える、
［Ｃ４］に記載の方法。
［Ｃ７］
第１のダウンリンクフレキシブル帯域幅キャリアの帯域幅を、前記第１のスケーリングファクタの使用から、前記第２のスケーリングファクタとは異なる第３のスケーリングファクタの使用に適応させることをさらに備える、
［Ｃ１］に記載の方法。
［Ｃ８］
前記第１のフレキシブル帯域幅キャリアは、第１のアップリンクフレキシブル帯域幅キャリアを備え、前記第２のスケーリングファクタおよび第３のスケーリングファクタは、少なくとも前記第１のアップリンクフレキシブル帯域幅キャリアまたは前記第１のダウンリンクフレキシブル帯域幅キャリアについての１つまたは複数のトラフィックパターンに基づいて判断される、
［Ｃ７］に記載の方法。
［Ｃ９］
第２のダウンリンクフレキシブル帯域幅キャリアの帯域幅を、前記第１のスケーリングファクタの使用から第４のスケーリングファクタの使用に適応させることと、
第２のアップリンクフレキシブル帯域幅キャリアの帯域幅を、前記第１のスケーリングファクタの使用から第５のスケーリングファクタの使用に適応させることと
をさらに備える、［Ｃ８］に記載の方法。
［Ｃ１０］
少なくとも前記第１のアップリンクフレキシブル帯域幅キャリアを前記第２のダウンリンクキャリアと、または前記第２のアップリンクフレキシブル帯域幅キャリアを前記第１のダウンリンクキャリアと結合することをさらに備える、
［Ｃ９］に記載の方法。
［Ｃ１１］
少なくとも１人のユーザの少なくとも要求事項または必要事項に基づいて、少なくとも前記第１のアップリンクフレキシブル帯域幅キャリア、前記第２のアップリンクフレキシブル帯域幅キャリア、前記第１のダウンリンクフレキシブル帯域幅キャリア、または前記第２のリンクフレキシブル帯域幅キャリアに、前記少なくとも１人のユーザを割り当てることをさらに備える、
［Ｃ９］に記載の方法。
［Ｃ１２］
少なくとも、前記第１のアップリンクフレキシブル帯域幅キャリアについての第１の中心周波数または前記第１のダウンリンクフレキシブル帯域幅キャリアについての第２の中心周波数を変更することをさらに備える、
［Ｃ８］に記載の方法。
［Ｃ１３］
前記第２のスケーリングファクタをモバイルデバイスに送信することと、
前記第１のフレキシブル帯域幅キャリアの前記帯域幅が前記第１のスケーリングファクタの使用から前記第２のスケーリングファクタの使用にいつ適応されるかに関する少なくとも時間またはタイミング期間を、前記モバイルデバイスに送信することと
をさらに備える、［Ｃ１］に記載の方法。
［Ｃ１４］
前記タイミング期間中は、前記モバイルデバイスにデータを送信するのを控えることをさらに備える、
［Ｃ１３］に記載の方法。
［Ｃ１５］
フレキシブル帯域幅を動的に適応させるために構成されたワイヤレス通信システムであって、
第１のフレキシブル帯域幅キャリアの第１のスケーリングファクタを識別するための手段と、
第２のスケーリングファクタを判断するための手段と、
前記第１のフレキシブル帯域幅キャリアの帯域幅を、前記第１のスケーリングファクタの使用から前記第２のスケーリングファクタの使用に適応させるための手段と
を備えるシステム。
［Ｃ１６］
前記第１のフレキシブル帯域幅の前記帯域幅を、前記第１のスケーリングファクタの使用から前記第２のスケーリングファクタの使用に適応させるための前記手段は、
前記第１のフレキシブル帯域幅キャリアの前記帯域幅を増大させるための手段を備える、
［Ｃ１５］に記載のシステム。
［Ｃ１７］
前記第１のフレキシブル帯域幅キャリアの前記帯域幅を増大させることは、前記第１のフレキシブル帯域幅キャリアの容量を増やす、
［Ｃ１６］に記載のシステム。
［Ｃ１８］
前記第１のフレキシブル帯域幅の前記帯域幅を、前記第１のスケーリングファクタの使用から前記第２のスケーリングファクタの使用に適応させるための前記手段は、
前記第１のフレキシブル帯域幅キャリアの前記帯域幅を減少させるための手段を備える、
［Ｃ１５］に記載のシステム。
［Ｃ１９］
前記第１のフレキシブル帯域幅キャリアの前記帯域幅を減少させることは、少なくとも、１つもしくは複数のセルとの干渉を削減すること、帯域内干渉を削減すること、またはエネルギーを節約することを備える、
［Ｃ１８］に記載のシステム。
［Ｃ２０］
前記第１のフレキシブル帯域幅キャリアの前記帯域幅を減少させる前に、前記第１のフレキシブル帯域幅キャリアにとどまるモバイルデバイスを別の帯域幅キャリアにハンドオーバするための手段をさらに備える、
［Ｃ１８］に記載のシステム。
［Ｃ２１］
第１のダウンリンクフレキシブル帯域幅キャリアの帯域幅を、前記第１のスケーリングファクタの使用から、前記第２のスケーリングファクタとは異なる第３のスケーリングファクタの使用に適応させるための手段をさらに備える、
［Ｃ１５］に記載のシステム。
［Ｃ２２］
前記第１のフレキシブル帯域幅キャリアが第１のアップリンクフレキシブル帯域幅キャリアを備え、前記第２のスケーリングファクタおよび第３のスケーリングファクタが、少なくとも前記第１のアップリンクフレキシブル帯域幅キャリアまたは前記第１のダウンリンクフレキシブル帯域幅キャリアについての１つまたは複数のトラフィックパターンに基づいて判断される、
［Ｃ２１］に記載のシステム。
［Ｃ２３］
第２のダウンリンクフレキシブル帯域幅キャリアの帯域幅を、前記第１のスケーリングファクタの使用から第４のスケーリングファクタの使用に適応させるための手段と、
第２のアップリンクフレキシブル帯域幅キャリアの帯域幅を、前記第１のスケーリングファクタの使用から第５のスケーリングファクタの使用に適応させるための手段と
をさらに備える、［Ｃ２２］に記載のシステム。
［Ｃ２４］
少なくとも前記第１のアップリンクフレキシブル帯域幅キャリアを前記第２のダウンリンクキャリアと、または前記第２のアップリンクフレキシブル帯域幅キャリアを前記第１のダウンリンクキャリアと結合するための手段をさらに備える、
［Ｃ２３］に記載のシステム。
［Ｃ２５］
少なくとも１人のユーザの少なくとも要求事項または必要事項に基づいて、少なくとも前記第１のアップリンクフレキシブル帯域幅キャリア、前記第２のアップリンクフレキシブル帯域幅キャリア、前記第１のダウンリンクフレキシブル帯域幅キャリア、または前記第２のリンクフレキシブル帯域幅キャリアに、前記少なくとも１人のユーザを割り当てるための手段をさらに備える、
［Ｃ２３］に記載のシステム。
［Ｃ２６］
少なくとも、前記第１のアップリンクフレキシブル帯域幅キャリアについての第１の中心周波数または前記第１のダウンリンクフレキシブル帯域幅キャリアについての第２の中心周波数を変更するための手段をさらに備える、
［Ｃ２２］に記載のシステム。
［Ｃ２７］
前記第２のスケーリングファクタをモバイルデバイスに送信するための手段と、
前記第１のフレキシブル帯域幅キャリアの前記帯域幅が前記第１のスケーリングファクタの使用から前記第２のスケーリングファクタの使用にいつ適応されるかに関する少なくとも時間またはタイミング期間を、前記モバイルデバイスに送信するための手段と
をさらに備える、［Ｃ１５］に記載のシステム。
［Ｃ２８］
前記タイミング期間中は前記モバイルデバイスにデータを送信するのを控えるための手段をさらに備える、
［Ｃ２７］に記載のシステム。
［Ｃ２９］
非一時的コンピュータ可読媒体を備える、ワイヤレス通信システムにおいてフレキシブル帯域幅を動的に適応させるためのコンピュータプログラム製品であって、
前記非一時的コンピュータ可読媒体が、
第１のフレキシブル帯域幅キャリアの第１のスケーリングファクタを識別するためのコードと、
第２のスケーリングファクタを判断するためのコードと、
前記第１のフレキシブル帯域幅キャリアの帯域幅を、前記第１のスケーリングファクタの使用から前記第２のスケーリングファクタの使用に適応させるためのコードと
を備えるコンピュータプログラム製品。
［Ｃ３０］
前記第１のフレキシブル帯域幅の前記帯域幅を、前記第１のスケーリングファクタの使用から前記第２のスケーリングファクタの使用に適応させるための前記コードは、
前記第１のフレキシブル帯域幅キャリアの前記帯域幅を増大させるためのコードを備える、
［Ｃ２９］に記載のコンピュータプログラム製品。
［Ｃ３１］
前記第１のフレキシブル帯域幅キャリアの前記帯域幅を増大させることは、前記第１のフレキシブル帯域幅キャリアの容量を増やす、
［Ｃ３０］に記載のコンピュータプログラム製品。
［Ｃ３２］
前記第１のフレキシブル帯域幅の前記帯域幅を、前記第１のスケーリングファクタの使用から前記第２のスケーリングファクタの使用に適応させるための前記コードは、
前記第１のフレキシブル帯域幅キャリアの前記帯域幅を減少させるためのコードを備える、
［Ｃ２９］に記載のコンピュータプログラム製品。
［Ｃ３３］
前記第１のフレキシブル帯域幅キャリアの前記帯域幅を減少させることは、少なくとも、１つもしくは複数のセルとの干渉を削減すること、帯域内干渉を削減すること、またはエネルギーを節約することを備える、
［Ｃ３２］に記載のコンピュータプログラム製品。
［Ｃ３４］
前記非一時的コンピュータ可読媒体は、
前記第１のフレキシブル帯域幅キャリアの前記帯域幅を減少させる前に、前記第１のフレキシブル帯域幅キャリアにとどまるモバイルデバイスを別の帯域幅キャリアにハンドオーバするためのコードをさらに備える、
［Ｃ３２］に記載のコンピュータプログラム製品。
［Ｃ３５］
前記非一時的コンピュータ可読媒体は、
第１のダウンリンクフレキシブル帯域幅キャリアの帯域幅を、前記第１のスケーリングファクタの使用から、前記第２のスケーリングファクタとは異なる第３のスケーリングファクタの使用に適応させるためのコードをさらに備える、
［Ｃ２９］に記載のコンピュータプログラム製品。
［Ｃ３６］
前記第１のフレキシブル帯域幅キャリアが第１のアップリンクフレキシブル帯域幅キャリアを備え、前記第２のスケーリングファクタおよび第３のスケーリングファクタが、少なくとも前記第１のアップリンクフレキシブル帯域幅キャリアまたは前記第１のダウンリンクフレキシブル帯域幅キャリアについての１つまたは複数のトラフィックパターンに基づいて判断される、
［Ｃ３５］に記載のコンピュータプログラム製品。
［Ｃ３７］
前記非一時的コンピュータ可読媒体は、
第２のダウンリンクフレキシブル帯域幅キャリアの帯域幅を、前記第１のスケーリングファクタの使用から第４のスケーリングファクタの使用に適応させるためのコードと、
第２のアップリンクフレキシブル帯域幅キャリアの帯域幅を、前記第１のスケーリングファクタの使用から第５のスケーリングファクタの使用に適応させるためのコードと
をさらに備える、［Ｃ３６］に記載のコンピュータプログラム製品。
［Ｃ３８］
前記非一時的コンピュータ可読媒体が、
少なくとも前記第１のアップリンクフレキシブル帯域幅キャリアを前記第２のダウンリンクキャリアと、または前記第２のアップリンクフレキシブル帯域幅キャリアを前記第１のダウンリンクキャリアと結合するためのコードをさらに備える、
［Ｃ３７］に記載のコンピュータプログラム製品。
［Ｃ３９］
前記非一時的コンピュータ可読媒体は、
少なくとも１人のユーザの少なくとも要求事項または必要事項に基づいて、少なくとも前記第１のアップリンクフレキシブル帯域幅キャリア、前記第２のアップリンクフレキシブル帯域幅キャリア、前記第１のダウンリンクフレキシブル帯域幅キャリア、または前記第２のリンクフレキシブル帯域幅キャリアに、前記少なくとも１人のユーザを割り当てるためのコードをさらに備える、
［Ｃ３７］に記載のコンピュータプログラム製品。
［Ｃ４０］
前記非一時的コンピュータ可読媒体は、
少なくとも、前記第１のアップリンクフレキシブル帯域幅キャリアについての第１の中心周波数または前記第１のダウンリンクフレキシブル帯域幅キャリアについての第２の中心周波数を変更するためのコードをさらに備える、
［Ｃ３６］に記載のコンピュータプログラム製品。
［Ｃ４１］
前記非一時的コンピュータ可読媒体は、
前記第２のスケーリングファクタをモバイルデバイスに送信するためのコードと、
前記第１のフレキシブル帯域幅キャリアの前記帯域幅が前記第１のスケーリングファクタの使用から前記第２のスケーリングファクタの使用にいつ適応されるかに関する少なくとも時間またはタイミング期間を、前記モバイルデバイスに送信するためのコードと
をさらに備える、［Ｃ２９］に記載のコンピュータプログラム製品。
［Ｃ４２］
前記非一時的コンピュータ可読媒体は、
前記タイミング期間中は前記モバイルデバイスにデータを送信するのを控えることをさらに備える、
［Ｃ４１］に記載のコンピュータプログラム製品。
［Ｃ４３］
ワイヤレス通信システムにおいてフレキシブル帯域幅を動的に適応させるために構成されたワイヤレス通信デバイスであって、
第１のフレキシブル帯域幅キャリアの第１のスケーリングファクタを識別することと、
第２のスケーリングファクタを判断することと、
前記第１のフレキシブル帯域幅キャリアの帯域幅を、前記第１のスケーリングファクタの使用から前記第２のスケーリングファクタの使用に適応させることと
を行うように構成された少なくとも１つのプロセッサを備えるデバイス。
［Ｃ４４］
前記第１のフレキシブル帯域幅の前記帯域幅を、前記第１のスケーリングファクタの使用から前記第２のスケーリングファクタの使用に適応させることを行うように構成された前記少なくとも１つのプロセッサは、
前記第１のフレキシブル帯域幅キャリアの前記帯域幅を増大させることを行うように構成される、
［Ｃ４３］に記載のデバイス。
［Ｃ４５］
前記第１のフレキシブル帯域幅キャリアの前記帯域幅を増大させることは、前記第１のフレキシブル帯域幅キャリアの容量を増やす、
［Ｃ４４］に記載のデバイス。
［Ｃ４６］
前記第１のフレキシブル帯域幅の前記帯域幅を、前記第１のスケーリングファクタの使用から前記第２のスケーリングファクタの使用に適応させることを行うように構成された前記少なくとも１つのプロセッサが、
前記第１のフレキシブル帯域幅キャリアの前記帯域幅を減少させることを行うように構成される、
［Ｃ４３］に記載のデバイス。
［Ｃ４７］
前記第１のフレキシブル帯域幅キャリアの前記帯域幅を減少させることは、少なくとも、１つもしくは複数のセルとの干渉を削減すること、帯域内干渉を削減すること、またはエネルギーを節約することを備える、
［Ｃ４６］に記載のデバイス。
［Ｃ４８］
前記少なくとも１つのプロセッサは、
前記第１のフレキシブル帯域幅キャリアの前記帯域幅を減少させる前に、前記第１のフレキシブル帯域幅キャリアにとどまるモバイルデバイスを別の帯域幅キャリアにハンドオーバすることを行うようにさらに構成される、
［Ｃ４６］に記載のデバイス。
［Ｃ４９］
前記少なくとも１つのプロセッサは、
第１のダウンリンクフレキシブル帯域幅キャリアの帯域幅を、前記第１のスケーリングファクタの使用から、前記第２のスケーリングファクタとは異なる第３のスケーリングファクタの使用に適応させることを行うようにさらに構成される、
［Ｃ４３］に記載のデバイス。
［Ｃ５０］
前記第１のフレキシブル帯域幅キャリアは、第１のアップリンクフレキシブル帯域幅キャリアを備え、前記第２のスケーリングファクタおよび第３のスケーリングファクタは、少なくとも前記第１のアップリンクフレキシブル帯域幅キャリアまたは前記第１のダウンリンクフレキシブル帯域幅キャリアについての１つまたは複数のトラフィックパターンに基づいて判断される、
［Ｃ４９］に記載のデバイス。
［Ｃ５１］
前記少なくとも１つのプロセッサは、
第２のダウンリンクフレキシブル帯域幅キャリアの帯域幅を、前記第１のスケーリングファクタの使用から第４のスケーリングファクタの使用に適応させることと、
第２のアップリンクフレキシブル帯域幅キャリアの帯域幅を、前記第１のスケーリングファクタの使用から第５のスケーリングファクタの使用に適応させることと
を行うようにさらに構成される、［Ｃ５０］に記載のデバイス。
［Ｃ５２］
前記少なくとも１つのプロセッサは、
少なくとも前記第１のアップリンクフレキシブル帯域幅キャリアを前記第２のダウンリンクキャリアと、または前記第２のアップリンクフレキシブル帯域幅キャリアを前記第１のダウンリンクキャリアと結合することを行うようにさらに構成される、
［Ｃ５１］に記載のデバイス。
［Ｃ５３］
前記少なくとも１つのプロセッサは、
少なくとも１人のユーザの少なくとも要求事項または必要事項に基づいて、少なくとも前記第１のアップリンクフレキシブル帯域幅キャリア、前記第２のアップリンクフレキシブル帯域幅キャリア、前記第１のダウンリンクフレキシブル帯域幅キャリア、または前記第２のリンクフレキシブル帯域幅キャリアに、前記少なくとも１人のユーザを割り当てることを行うようにさらに構成される、
［Ｃ５１］に記載のデバイス。
［Ｃ５４］
前記少なくとも１つのプロセッサは、
少なくとも、前記第１のアップリンクフレキシブル帯域幅キャリアについての第１の中心周波数または前記第１のダウンリンクフレキシブル帯域幅キャリアについての第２の中心周波数を変更することを行うようにさらに構成される、
［Ｃ５０］に記載のデバイス。
［Ｃ５５］
前記少なくとも１つのプロセッサは、
前記第２のスケーリングファクタをモバイルデバイスに送信することと、
前記第１のフレキシブル帯域幅キャリアの前記帯域幅が前記第１のスケーリングファクタの使用から前記第２のスケーリングファクタの使用にいつ適応されるかに関する少なくとも時間またはタイミング期間を、前記モバイルデバイスに送信することと
を行うようにさらに構成される、［Ｃ４３］に記載のデバイス。
［Ｃ５６］
前記少なくとも１つのプロセッサは」、
前記タイミング期間中は前記モバイルデバイスにデータを送信するのを控えるようにさらに構成される、
［Ｃ５５］に記載のデバイス。
【図１】
0005911967.tif 000004
【図２Ａ】
0005911967.tif 000005
【図２Ｂ】
0005911967.tif 000006
【図２Ｃ】
0005911967.tif 000007
【図２Ｄ】
0005911967.tif 000008
【図２Ｅ】
0005911967.tif 000009
【図２Ｆ】
0005911967.tif 000010
【図３】
0005911967.tif 000011
【図４】
0005911967.tif 000012
【図５Ａ】
0005911967.tif 000013
【図５Ｂ】
0005911967.tif 000014
【図５Ｃ】
0005911967.tif 000015
【図６】
0005911967.tif 000016
【図７Ａ】
0005911967.tif 000017
【図７Ｂ】
0005911967.tif 000018
【図８Ａ】
0005911967.tif 000019
【図８Ｂ】
0005911967.tif 000020
【図８Ｃ】
0005911967.tif 000021
【図８Ｄ】
0005911967.tif 000022
【図９】
0005911967.tif 000023
【図１０】
0005911967.tif 000024
【図１１】
0005911967.tif 000025
【図１２】
0005911967.tif 000026
【図１３Ａ】
0005911967.tif 000027
【図１３Ｂ】
0005911967.tif 000028